(57)【要約】  ＯＦＤＭ信号を生成する方法が、通信プロトコルに従って動作するデバイスに実装される。  プロトコルは、ＢＳＳチャネルの単一コンポーネントチャネルに対応する非複製モードデータユニット、および隣接するコンポーネントチャネルの複数セットに対応する複数の非複製モードデータユニットを定義する。  １セットのコンポーネントチャネルに対応する非複製モードデータユニットは、単一コンポーネントチャネルに対応する非複製モードデータユニットよりも多くの下側エッジガードトーンおよび／または上側エッジガードトーンを有する。  この方法は、複製モードを１セットのコンポーネントチャネルにおけるＯＦＤＭ送信に使用すると決定する段階、およびそれに応じて、複製モードデータユニットを生成する段階を含む。  複製モードデータユニットは、１セットのコンポーネントチャネルに対応する非複製モードデータユニットより少ない下側エッジガードトーンおよび／または上側エッジガードトーンを有し、各隣接するコンポーネントチャネルに対して、単一コンポーネントチャネルに対応する非複製モードデータユニットの1つの複製を含む。
2015523783.tif 000002
【特許請求の範囲】
【請求項１】
通信プロトコルに従って動作する通信デバイスにおける、ベーシックサービスセットチャネル（ＢＳＳチャネル）内で送信される直交波周波数分割多重（ＯＦＤＭ）信号を生成する方法であって、
２以上のコンポーネントチャネルのセットは、全体として前記ＢＳＳチャネルと同じ広がりをもち、
前記通信プロトコルは、（ｉ）前記２以上のコンポーネントチャネルのセット内の単一コンポーネントチャネルに対応する非複製モードデータユニット、および（ｉｉ）前記２以上のコンポーネントチャネルのセット内の隣接するコンポーネントチャネルの第１のセットに対応する非複製モードデータユニットを定義し、
前記単一コンポーネントチャネルに対応する前記非複製モードデータユニットは、（ｉ）第１の数の下側エッジガードトーンおよび（ｉｉ）第１の数の上側エッジガードトーンを有し、
前記隣接するコンポーネントチャネルの第１のセットに対応する前記非複製モードデータユニットは、（ｉ）第２の数の下側エッジガードトーンおよび（ｉｉ）第２の数の上側エッジガードトーンを有し、
（ｉ）前記第２の数の下側エッジガードトーンは、前記第１の数の下側エッジガードトーンよりも多いか、（ｉｉ）前記第２の数の上側エッジガードトーンは、前記第１の数の上側エッジガードトーンよりも多い、の少なくともどちらか一方であり、
前記方法は、
複製モードを前記隣接するコンポーネントチャネルの第１のセットにおける第１のＯＦＤＭ送信に使用することを、前記通信デバイスにおいて決定する段階と、
前記複製モードを前記第１のＯＦＤＭ送信に使用するとの決定に応じて、
前記通信デバイスにおいて、前記隣接するコンポーネントチャネルの第１のセットに対応する第１の複製モードデータユニットが、（ｉ）前記第２の数より少ない数の下側エッジガードトーン、および（ｉｉ）前記第２の数より少ない数の上側エッジガードトーンのうちの、１つまたは両方を有するように、前記第１の複製モードデータユニットを生成する段階と、
を備え、
前記第１の複製モードデータユニットは、前記隣接するコンポーネントチャネルの第１のセット内の各コンポーネントチャネルに対して、前記単一コンポーネントチャネルに対応する前記非複製モードデータユニットの周波数において1つの複製を含む
方法。
【請求項２】
前記第１の複製モードデータユニットを生成する段階は、前記第１の複製モードデータユニットが、（ｉ）前記第１の数の下側エッジガードトーンおよび（ｉｉ）前記第１の数の上側エッジガードトーンを有するように前記複製モードデータユニットを生成する段階を含む
請求項1に記載の方法。
【請求項３】
前記単一コンポーネントチャネルに対応する前記非複製モードデータユニットの各複製が、前記隣接するコンポーネントチャネルの第１のセットの異なるコンポーネントチャネルを介して送信されるように、前記第１の複製モードデータユニットを１または複数の他の通信デバイスに送信する段階をさらに備える
請求項１または２に記載の方法。
【請求項４】
前記単一コンポーネントチャネルに対応する前記非複製モードデータユニットはプリアンブルおよびデータ部分を含む
請求項１から３の何れか一項に記載の方法。
【請求項５】
前記プリアンブルは信号フィールドを含み、
前記信号フィールドは帯域幅フィールドを含み、
前記第１の複製モードデータユニットを生成する段階は、前記単一コンポーネントチャネルの帯域幅と等しい帯域幅を示すべく、各複製に前記帯域幅フィールドを設定する段階を含む
請求項４に記載の方法。
【請求項６】
前記プリアンブルは、信号フィールドを含み、
前記信号フィールドは帯域幅フィールドを含み、
前記第１の複製モードデータユニットを生成する段階は、前記隣接するコンポーネントチャネルの第１のセットの総帯域幅と等しい帯域幅を示すべく、各複製に前記帯域幅フィールドを設定する段階を含む
請求項４または５に記載の方法。
【請求項７】
前記信号フィールドは、変調および符号化スキームフィールド（ＭＣＳフィールド）をさらに含み、
前記第１の複製モードデータユニットを生成する段階は、前記第１の複製モードデータユニットが前記複製モードに対応することを示すべく、各複製に前記ＭＣＳフィールドを設定する段階を含む
請求項6に記載の方法。
【請求項８】
前記信号フィールドは、符号化フィールドをさらに含み、
前記第１の複製モードデータユニットを生成する段階は、前記第１の複製モードデータユニットが前記複製モードに対応することを示すべく、各複製に前記符号化フィールドを設定する段階を含む
請求項６または７に記載の方法。
【請求項９】
前記信号フィールドは、複製フィールドをさらに含み、
前記第１の複製モードデータユニットを生成する段階は、前記第１の複製モードデータユニットが前記複製モードに対応することを示すべく、各複製に前記複製フィールドを設定する段階を含む
請求項６から８の何れか一項に記載の方法。
【請求項１０】
前記通信プロトコルは、前記２以上のコンポーネントチャネルのセット内の隣接するコンポーネントチャネルの第２のセットに対応する非複製モードデータユニットをさらに定義し、
前記隣接するコンポーネントチャネルの第２のセットは、前記隣接するコンポーネントチャネルの第１のセットよりも多くコンポーネントチャネルを含み、
前記隣接するコンポーネントチャネルの第２のセットに対応する前記非複製モードデータユニットは、（ｉ）第３の数の下側エッジガードトーンおよび（ｉｉ）第３の数の上側エッジガードトーンを有し、
（ｉ）前記第３の数の下側エッジガードトーンは前記第１の数の下側エッジガードトーンよりも多いか、または（ｉｉ）前記第３の数の上側エッジガードトーンは前記第１の数の上側エッジガードトーンよりも多い、の少なくともどちらか一方であり、
前記方法は、
前記通信デバイスにおいて、前記複製モードを前記隣接するコンポーネントチャネルの第２のセットにおける第２のＯＦＤＭ送信に使用することを決定する段階と、
前記複製モードを前記第２のＯＦＤＭ送信に使用することの決定に応じて、
前記通信デバイスにおいて、前記隣接するコンポーネントチャネルの第２のセットに対応する第２の複製モードデータユニットが、（ｉ）前記第３の数よりも少ない数の下側エッジガードトーンおよび（ｉｉ）前記第３の数よりも少ない数の上側エッジガードトーンのうちの、1つまたは両方を有すように、前記第２の複製モードデータユニットを生成する段階と、
をさらに備え、
前記第２の複製モードデータユニットは、前記隣接するコンポーネントチャネルの第２のセット内の各コンポーネントチャネルに対して、前記単一コンポーネントチャネルに対応する前記非複製モードデータユニットの周波数において1つの複製を含む
請求項１から９の何れか一項に記載の方法。
【請求項１１】
前記第１の複製モードデータユニットを生成する段階は、前記単一コンポーネントチャネルに対応する前記非複製モードデータユニットの各複製に、異なる位相回転乗数を乗算する段階を含む
請求項１から１０の何れか一項に記載の方法。
【請求項１２】
前記２以上のコンポーネントチャネルのセット内の各コンポーネントチャネルは、２ＭＨｚの帯域幅を有し、
Ｎは０より大きい整数であり、前記隣接するコンポーネントチャネルの第１のセットは、２Ｎ×（２ＭＨｚ）の総帯域幅を有し、
前記第１の複製モードデータユニットを生成する段階は、サイズが３２×（Ｎ＋１）の逆高速フーリエ変換（ＩＦＦＴ）を利用する段階を含む
請求項１から１１の何れか一項に記載の方法。
【請求項１３】
前記第１の複製モードデータユニットを生成する段階の前に、前記通信デバイスにおいて、前記隣接するコンポーネントチャネルの第１のセットを前記第１のＯＦＤＭ送信に使用することを決定する段階をさらに含む
請求項１から１２の何れか一項に記載の方法。
【請求項１４】
ネットワークインタフェースを備える通信デバイスであって、
前記ネットワークインタフェースは、
通信プロトコルに従って動作し、
前記通信プロトコルは、（ｉ）全体としてベーシックサービスセット（ＢＳＳ）チャネルと同じ広がりをもつ２以上のコンポーネントチャネルのセット内の、単一コンポーネントチャネルに対応する非複製モードデータユニット、および（ｉｉ）前記２以上のコンポーネントチャネルのセット内の隣接するコンポーネントチャネルの１セットに対応する非複製モードデータユニットを定義し、
前記単一コンポーネントチャネルに対応する前記非複製モードデータユニットは、（ｉ）第１の数の下側エッジガードトーンおよび（ｉｉ）第１の数の上側エッジガードトーンを有し、
前記隣接するコンポーネントチャネルの１セットに対応する前記非複製モードデータユニットは、（ｉ）第２の数の下側エッジガードトーンおよび（ｉｉ）第２の数の上側エッジガードトーンを有し、
（ｉ）前記第２の数の下側エッジガードトーンは、前記第１の数の下側エッジガードトーンよりも多いか、または（ｉｉ）前記第２の数の上側エッジガードトーンは、前記第１の数の上側エッジガードトーンよりも多い、の少なくともどちらか一方であり、
複製モードを前記隣接するコンポーネントチャネルの１セットにおける直交波周波数分割多重送信（ＯＦＤＭ送信）に使用することを決定し、
前記複製モードを前記ＯＦＤＭ送信に使用することの決定に応じて、前記隣接するコンポーネントチャネルの１セットに対応する複製モードデータユニットが、（ｉ）前記第２の数よりも少ない数の下側エッジガードトーンおよび（ｉｉ）前記第２の数よりも少ない数の上側エッジガードトーンのうちの、1つまたは両方を有するように、前記複製モードデータユニットを生成し、
前記複製モードデータユニットは、前記隣接するコンポーネントチャネルの１セット内の各コンポーネントチャネルに対して、前記単一コンポーネントチャネルに対応する前記非複製モードデータユニットの周波数において1つの複製を含む
通信デバイス。
【請求項１５】
前記ネットワークインタフェースはさらに、前記単一コンポーネントチャネルに対応する前記非複製モードデータユニットの各複製が前記隣接するコンポーネントチャネルの１セットの異なるコンポーネントチャネルを介して送信されるように、前記複製モードデータユニットを1または複数の他の通信デバイスへ送信する
請求項１４に記載の通信デバイス。
【請求項１６】
前記単一コンポーネントチャネルに対応する前記非複製モードデータユニットは、プリアンブルおよびデータ部分を含み、
前記プリアンブルは信号フィールドを含み、
前記信号フィールドは帯域幅フィールドを含み、
前記ネットワークインタフェースは、少なくとも一部は、前記単一コンポーネントチャネルの帯域幅と等しい帯域幅を示すべく各複製に前記帯域幅フィールドを設定することにより、前記複製モードデータユニットを生成する
請求項１４または１５に記載の通信デバイス。
【請求項１７】
前記ネットワークインタフェースは、少なくとも一部は、前記単一コンポーネントチャネルに対応する前記非複製モードデータユニットの各複製に異なる位相回転乗数を乗算することによって、前記複製モードデータユニットを生成する
請求項１４から１６の何れか一項に記載の通信デバイス。
【請求項１８】
通信プロトコルに従って動作させる命令を有するプログラムであって、
前記通信プロトコルは、（ｉ）全体としてベーシックサービスセット（ＢＳＳ）チャネルと同じ広がりをもつ２以上のコンポーネントチャネルのセット内の、単一コンポーネントチャネルに対応する非複製モードデータユニット、および（ｉｉ）前記２以上のコンポーネントチャネルのセット内の隣接するコンポーネントチャネルの１セットに対応する非複製モードデータユニットを定義し、
前記単一コンポーネントチャネルに対応する前記非複製モードデータユニットは、（ｉ）第１の数の下側エッジガードトーンおよび（ｉｉ）第１の数の上側エッジガードトーンを有し、
前記隣接するコンポーネントチャネルの１セットに対応する前記非複製モードデータユニットは、（ｉ）第２の数の下側エッジガードトーンおよび（ｉｉ）第２の数の上側エッジガードトーンを有し、
（ｉ）前記第２の数の下側エッジガードトーンは、前記第１の数の下側エッジガードトーンよりも多いか、または（ｉｉ）前記第２の数の上側エッジガードトーンは、前記第１の数の上側エッジガードトーンよりも多い、の少なくともどちらか一方であり、
前記命令は１または複数のプロセッサによって実行されると、前記１または複数のプロセッサに、
複製モードを前記隣接するコンポーネントチャネルの１セットにおける直交波周波数分割多重送信（ＯＦＤＭ送信）に使用すると決定させ、
前記複製モードを前記ＯＦＤＭ送信に使用するとの決定に応じて、
前記隣接するコンポーネントチャネの１セットに対応する複製モードデータユニットが、（ｉ）前記第２の数よりも少ない数の下側エッジガードトーンおよび（ｉｉ）前記第２の数よりも少ない数の上側エッジガードトーンのうちの、１つまたは両方を有するように、前記複製モードデータユニットを生成させ、
前記複製モードデータユニットは、前記隣接するコンポーネントチャネルの１セット内の各コンポーネントチャネルに対して、前記単一コンポーネントチャネルに対応する前記非複製モードデータユニットの周波数において1つの複製を含む
プログラム。
【請求項１９】
前記単一コンポーネントチャネルに対応する前記非複製モードデータユニットはプリアンブルおよびデータ部分を含み、
前記プリアンブルは信号フィールドを含み、
前記信号フィールドは帯域幅フィールドを含み、
前記命令は前記１または複数のプロセッサに、少なくとも一部は、前記単一コンポーネントチャネルの帯域幅と等しい帯域幅を示すべく各複製に前記帯域幅フィールドを設定することによって、前記複製モードデータユニットを生成させる
請求項１８に記載のプログラム。
【請求項２０】
前記命令は、前記１または複数のプロセッサに、少なくとも一部は、前記単一コンポーネントチャネルに対応する前記非複製モードデータユニットの各複製に異なる位相回転乗数を乗算することによって、前記複製モードデータユニットを生成させる
請求項１８または１９に記載のプログラム。
【発明の詳細な説明】
【技術分野】
【０００１】
［関連出願の相互参照］
本願は、２０１２年５月２４日出願の、「Ｆｒｅｑｕｅｎｃｙ  Ｄｏｍａｉｎ  ２ＭＨｚ  （６４ＦＦＴ）  Ｄｕｐｌｉｃａｔｉｏｎ  ｉｎ  ８０２．１１ａｈ」という発明の名称の米国仮特許出願第６１／６５１，０８４号の優先権を主張し、その開示は参照として本明細書に組み込まれる。
【０００２】
本開示は概して通信ネットワークに関し、特に、長距離無線ローカルエリアネットワークに関するものである。
【背景技術】
【０００３】
インフラストラクチャモードで動作する場合、無線ローカルエリアネットワーク（ＷＬＡＮ）は一般にアクセスポイント（ＡＰ）と1または複数のクライアント局を含む。ＷＬＡＮは、過去１０年の間に急速に進歩した。米国電気電子学会（ＩＥＥＥ）８０２．１１ａ規格、８０２．１１ｂ規格、８０２．１１ｇ規格および８０２．１１ｎ規格などのＷＬＡＮ規格が発展することで、シングルユーザピークデータスループットが向上した。  例えば、ＩＥＥＥ８０２．１１ｂ規格は１１メガビット毎秒（Ｍｂｐｓ）のシングルユーザピークスループットを規定し、ＩＥＥＥ８０２．１１ａ規格および８０２．１１ｇ規格は５４Ｍｂｐｓのシングルユーザピークスループットを、ＩＥＥＥ８０２．１１ｎ規格は６００Ｍｂｐｓのシングルユーザピークスループット、そしてＩＥＥＥ８０２．１１ａｃ規格はギガビット毎秒単位のシングルユーザピークスループットを規定する。
【０００４】
研究は、それぞれがｓｕｂ−１ＧＨｚの周波数における無線ネットワーク動作を規定するであろう、ＩＥＥＥ８０２．１１ａｈおよびＩＥＥＥ８０２．１１ａｆの2つの新たな規格から始めた。低周波数通信チャネルは、より高い周波数における送信と比較して、一般的に伝搬品質がより良く、伝搬範囲が拡張されることが特徴である。過去には、ｓｕｂ−１  ＧＨｚの周波数域は他の用途（例えば、ライセンスを受けたＴＶ周波数帯、ラジオ周波数帯、その他）に確保されていたために、無線通信ネットワークには使用されてこなかった。ｓｕｂ−１  ＧＨｚの周波数域でライセンスを受けないまま残っている周波数帯はほとんどなく、あっても地域が異なれば、特定のライセンスを受けていない周波数も異なるものとなる。ＩＥＥＥ８０２．１１ａｈ規格は、ライセンスを受けていない、利用可能なｓｕｂ−１ＧＨｚの周波数帯における無線動作を規定するであろう。ＩＥＥＥ８０２．１１ａｆ規格は、ＴＶホワイトスペース（ＴＶＷＳ）、すなわちｓｕｂ−１ＧＨｚの周波数帯での未使用テレビチャネルにおける無線動作を規定するであろう。
【発明の概要】
【課題を解決するための手段】
【０００５】
ベーシックサービスセット（ＢＳＳ）チャネルで送信される直交波周波数分割多重（ＯＦＤＭ）信号の生成方法が、通信プロトコルに従い動作する通信デバイスに実装される。２つ以上のコンポーネントチャネルのセットは、全体としてＢＳＳチャネルと同じ広がりをもつ。通信プロトコルは、（ｉ）２つ以上のコンポーネントチャネルのセット内の単一コンポーネントチャネルに対応する非複製モードデータユニットおよび（ｉｉ）２つ以上のコンポーネントチャネルのセット内の隣接するコンポーネントチャネルの第１のセットに対応する非複製モードデータユニットを定義する。単一コンポーネントチャネルに対応する非複製モードデータユニットは、（ｉ）第１の数の下側エッジガードトーンおよび（ｉｉ）第１の数の上側エッジガードトーンを有する。隣接するコンポーネントチャネルの第１のセットに対応する非複製モードデータユニットは、（ｉ）第２の数の下側エッジガードトーンおよび（ｉｉ）第２の数の上側エッジガードトーンを有する。（ｉ）第２の数の下側エッジガードトーンは第１の数の下側エッジガードトーンよりも多いか、または（ｉｉ）第２の数の上側エッジガードトーンは第１の数の上側エッジガードトーンよりも多い、の少なくともどちらか一方である。  この方法は、複製モードが隣接するコンポーネントチャネルの第１のセットにおける第１のＯＦＤＭ送信に使用されるであろうと通信デバイスにおいて決定する段階と、複製モードが第１のＯＦＤＭ送信に使用されるであろうとの決定に応じて、隣接するコンポーネントチャネルの第１のセットに対応する第１の複製モードデータユニットが（ｉ）第２の数より少ない数の下側エッジガードトーンおよび（ｉｉ）第２の数より少ない数の上側エッジガードトーンのうちの、１つまたは両方を有するように、第１の複製モードデータユニットを通信デバイスにおいて生成する段階と、を含む。第１の複製モードデータユニットは、隣接するコンポーネントチャネルの第１のセット内の各コンポーネントチャネルに対し、単一コンポーネントチャネルに対応する非複製モードデータユニットの、周波数において１つの複製を含む。
【０００６】
別の実施形態において、通信デバイスは通信プロトコルに従い動作すべく構成されるネットワークインタフェースを含む。通信プロトコルは、（ｉ）全体としてベーシックサービスセット（ＢＳＳ）チャネルと同じ広がりをもつ２以上のコンポーネントチャネルのセット内の、単一コンポーネントチャネルに対応する非複製モードデータユニット、および（ｉｉ）２以上のコンポーネントチャネルのセット内の隣接するコンポーネントチャネルの１セットに対応する非複製モードデータユニットを定義する。単一コンポーネントチャネルに対応する非複製モードデータユニットは、（ｉ）第１の数の下側エッジガードトーンおよび（ｉｉ）第１の数の上側エッジガードトーンを有する。隣接するコンポーネントチャネルの１セットに対応する非複製モードデータユニットは、（ｉ）第２の数の下側エッジガードトーンおよび（ｉｉ）第２の数の上側エッジガードトーンを有し、（ｉ）第２の数の下側エッジガードトーンは第１の数の下側エッジガードトーンより多いか、または（ｉｉ）第２の数の上側エッジガードトーンは第１の数の上側エッジガードトーンより多い、の少なくともどちらか一方である。ネットワークインタフェースもまた、複製モードが隣接するコンポーネントチャネルの１セットにおける直交波周波数分割多重（ＯＦＤＭ）送信に使用されるであろうと決定すべく構成され、複製モードがＯＦＤＭ送信に使用されるであろうとの決定に応じて、隣接するコンポーネントチャネルの１セットに対応する複製モードデータユニットが（ｉ）第２の数より少ない数の下側エッジガードトーンおよび（ｉｉ）第２の数より少ない数の上側エッジガードトーンのうちの、１つまたは両方を有するように、複製モードデータユニットを生成すべく構成される。複製モードデータユニットは、隣接するコンポーネントチャネルの１セット内の各コンポーネントチャネルに対し、単一コンポーネントチャネルに対応する非複製モードデータユニットの、周波数において１つの複製を含む。
【０００７】
別の実施形態において、非一時的コンピュータ可読媒体は通信プロトコルに従い動作させる命令を格納する。通信プロトコルは、（ｉ）全体としてベーシックサービスセット（ＢＳＳ）チャネルと同じ広がりをもつ２以上のコンポーネントチャネルのセット内の、単一コンポーネントチャネルに対応する非複製モードデータユニット、および（ｉｉ）２以上のコンポーネントチャネルのセット内の隣接するコンポーネントチャネルの１セットに対応する非複製モードデータユニットを定義する。単一コンポーネントチャネルに対応する非複製モードデータユニットは、（ｉ）第１の数の下側エッジガードトーンおよび（ｉｉ）第１の数の上側エッジガードトーンを有する。隣接するコンポーネントチャネルの１セットに対応する非複製モードデータユニットは、（ｉ）第２の数の下側エッジガードトーンおよび（ｉｉ）第２の数の上側エッジガードトーンを有する。（ｉ）第２の数の下側エッジガードトーンは第１の数の下側エッジガードトーンより多いか、または（ｉｉ）第２の数の上側エッジガードトーンは第１の数の上側エッジガードトーンより多い、の少なくともどちら一方である。１または複数のプロセッサによって実行されると、命令は１または複数のプロセッサに、複製モードが隣接するコンポーネントチャネルの１セットにおける直交波周波数分割多重（ＯＦＤＭ）送信に使用されるであろうと決定させる。複製モードがＯＦＤＭ送信に使用されるであろうとの決定に応じて、命令は１または複数のプロセッサに、隣接するコンポーネントチャネルの１セットに対応する複製モードデータユニットが、（ｉ）第２の数より少ない数の下側エッジガードトーンおよび（ｉｉ）第２の数より少ない数の上側エッジガードトーンのうちの、1つまたは両方を有するように、複製モードデータユニットを生成させる。複製モードデータユニットは、隣接するコンポーネントチャネルの１セット内の各コンポーネントチャネルに対し、単一コンポーネントチャネルに対応する非複製モードデータユニットの、周波数において１つの複製を含む。
【図面の簡単な説明】
【０００８】
【図１】ある実施形態による、長距離通信プロトコルが実装される無線ローカルエリアネットワーク（ＷＬＡＮ）の例のブロック図である。
【０００９】
【図２】ある実施形態による、長距離通信プロトコルのチャネライゼーションスキームの例である。
【００１０】
【図３Ａ】ＩＥＥＥ８０２．１１ｎおよび／またはＩＥＥＥ８０２．１１ａｃに準拠する、２０ＭＨｚのレガシーパケットのトーンマップ図である。
【図３Ｂ】ＩＥＥＥ８０２．１１ｎおよび／またはＩＥＥＥ８０２．１１ａｃに準拠する、２０ＭＨｚの非レガシーパケットのトーンマップ図である。
【図３Ｃ】ＩＥＥＥ８０２．１１ｎおよび／またはＩＥＥＥ８０２．１１ａｃに準拠する、真の４０ＭＨｚのパケットのトーンマップ図である。
【図３Ｄ】ＩＥＥＥ８０２．１１ｎおよび／またはＩＥＥＥ８０２．１１ａｃに準拠する、レガシー複製モードの４０ＭＨｚのパケットのトーンマップ図である。
【００１１】
【図４Ａ】ある実施形態による、２ＭＨｚの長距離データユニットのトーンマップ図の例である。
【図４Ｂ】ある実施形態による、真の４ＭＨｚの長距離データユニットのトーンマップ図の例である。
【図４Ｃ】ある実施形態による、複製モードの４ＭＨｚの長距離データユニットのトーンマップ図の例である。
【００１２】
【図５Ａ】ある実施形態による、真の８ＭＨｚの長距離データユニットのトーンマップ図の例である。
【図５Ｂ】ある実施形態による、複製モードの８ＭＨｚの長距離データユニットのトーンマップ図の例である。
【００１３】
【図６Ａ】ある実施形態による、ショートプリアンブルフォーマットを有する長距離データユニット例の図である。
【図６Ｂ】ある実施形態による、ロングプリアンブルフォーマットを有する長距離データユニット例の図である。
【００１４】
【図７Ａ】ある実施形態による、図６Ａのショートプリアンブルフォーマットを有する複製モードの４ＭＨｚの長距離データユニット例の図である。
【図７Ｂ】ある実施形態による、図６Ｂのロングプリアンブルフォーマットを有する複製モードの４ＭＨｚの長距離データユニット例の図である。
【００１５】
【図８】ある実施形態による、複製モードの４ＭＨｚ長距離ヌルデータパケット例の図である。
【００１６】
【図９】ある実施形態による、ベーシックサービスセット（ＢＳＳ）チャネルで送信される直交波周波数分割多重（ＯＦＤＭ）信号の生成方法例のフロー図である。
【発明を実施するための形態】
【００１７】
以下に記載する実施形態において、無線ローカルエリアネットワーク（ＷＬＡＮ）のアクセスポイント（ＡＰ）などの無線ネットワークデバイスは、データストリームを１または複数のクライアント局へ送信する。ＡＰは、少なくとも1つの通信プロトコルに従い、クライアント局と共に動作すべく構成
される。この通信プロトコルは、動作をｓｕｂ−１  ＧＨｚ周波数範囲内で定義し、一般的に比較的低データレートで長距離無線通信を要する用途向けに用いられる。この通信プロトコル（例えば、ＩＥＥＥ  ８０２．１１ａｈまたはＩＥＥＥ  ８０２．１１ａｆ）を、本明細書では「長距離」通信プロトコルと呼ぶ。いくつかの実施形態において、長距離通信プロトコルに準拠する物理層（ＰＨＹ）データユニット（「長距離データユニット」）は、より高い周波数の、より近距離の通信プロトコル（例えば、ＩＥＥＥ  ８０２．１１ｎ、および／またはＩＥＥＥ  ８０２．１１ａｃ）に準拠する「近距離」データユニットと同一または同様であるが、より低いクロックレートを用いて生成される（例えば、ＩＥＥＥ  ８０２．１１ｎ信号またはＩＥＥＥ  ８０２．１１ａｃ信号をダウンクロックすることによって）。一実施形態において、例えば、長距離通信プロトコルはＩＥＥＥ  ８０２．１１ｎまたはＩＥＥＥ  ８０２．１１ａｃの２０ＭＨｚ、４０ＭＨｚ、８０ＭＨｚおよび１６０ＭＨｚのデータユニットにそれぞれ実質的に同様な、２ＭＨｚ、４ＭＨｚ、８ＭＨｚ、１６ＭＨｚのデータユニットを定義し、各ＩＥＥＥ  ８０２．１１ｎデータユニットまたはＩＥＥＥ  ８０２．１１ａｃデータユニットと同じ逆高速フーリエ変換（ＩＦＦＴ）のサイズを用いて生成されるが、各ＩＥＥＥ  ８０２．１１ｎデータユニットまたはＩＥＥＥ  ８０２．１１ａｃデータユニットよりも10倍遅いクロックレートを用いて生成される。ＩＥＥＥ  ８０２．１１ｎおよびＩＥＥＥ  ８０２．１１ａｃの近距離データユニットのように、長距離データユニットは無線チャネルによって、直交波周波数分割多重（ＯＦＤＭ）を用いて複数のサブキャリア／複数のトーン上で送信される。さまざまな実施形態による長距離データユニットのフォーマットの例は、米国特許出願第１３／３５９，３３６号、「Ｐｈｙｓｉｃａｌ  Ｌａｙｅｒ  Ｆｒａｍｅ  Ｆｏｒｍａｔ  Ｆｏｒ  Ｌｏｎｇ  Ｒａｎｇｅ  ＷＬＡＮ」に記載されており、その開示を本明細書中参照としてここに組み込む。
【００１８】
ＩＥＥＥ  ８０２．１１ｎ規格およびＩＥＥＥ  ８０２．１１ａｃ規格はそれぞれ、１または複数の「複製」モードを定義する。複製モードでは、２０ＭＨｚのデータユニット（パケット）のいくつか、または全てが４０ＭＨｚまたはそれより大きいデータユニットの２以上のサブバンドに複製される。周波数複製することで、受信機における合成（例えば、最大比合成）を可能にし、それが回りまわって受信感度を高め、受信範囲を拡張できる。複製することで、ベーシックサービスセット（ＢＳＳ）内での、または、ＢＳＳと別のＡＰのＢＳＳ（ＯＢＳＳ）との間での帯域幅保護を向上させもする。ＩＥＥＥ  ８０２．１１ｎおよびＩＥＥＥ  ８０２．１１ａｃの両方は、「レガシー複製モード」を定義する。レガシー複製モードでは、２０ＭＨｚのレガシーパケットのプリアンブルおよびデータ部分（すなわち、ＩＥＥＥ  ８０２．１１ａまたはＩＥＥＥ  ８０２．１１ｇに準拠する受信機によってデコード可能なデータユニット）は、ＯＦＤＭ信号のピーク対平均電力比（ＰＡＰＲ）を低減させるべく４０ＭＨｚまたはそれより大きいパケットの２０ＭＨｚのサブバンドの各々に異なる位相シフト因子を適用して、２０ＭＨｚのサブバンドの各々に複製される。また、ＩＥＥＥ  ８０２．１１ｎ規格は、特別な変調および符号化スキーム（ＭＣＳ）、「ＭＣＳ３２」を定義する。ＭＣＳ３２では、４０ＭＨｚの信号は２０ＭＨｚのレガシーパケットの６メガビット毎秒（Ｍｂｐｓ）のデータ部分を下側の２０ＭＨｚのサブバンドおよび上側の２０ＭＨｚのサブバンドに複製する。一方、４０ＭＨｚの信号のプリアンブルは、代わりに真の４０ＭＨｚのパケットのプリアンブルに続くショートトレーニングフィールド（ＳＴＦ）、ロングトレーニングフィールド（ＬＴＦ）、および信号（ＳＩＧ）フィールドを含む。本明細書で用いられるように、修飾語「真の」は、データユニット（例えばパケット）が周波数複製を使用しない（すなわち、複数のサブバンドの各々内のより狭い帯域幅のデータユニットのプリアンブル、プリアンブル部分、および／またはデータ部分を複製しない）ことを示すために用いる。ＩＥＥＥ  ８０２．１１ｎおよびＩＥＥＥ  ８０２．１１ａｃのレガシー複製モードにおいてそうであるように、ＭＣＳ３２複製モードは、ＯＦＤＭ信号のＰＡＰＲを低減すべく２０ＭＨｚのサブバンドの各々に異なる位相シフト因子を適用する。ＩＥＥＥ  ８０２．１１ｎのＭＣＳ３２複製モードおよびＩＥＥＥ  ８０２．１１ｎおよびＩＥＥＥ  ８０２．１１ａｃのレガシー複製モードは、図３Ａ−３Ｄを参照して以下でより詳細に議論する。以後明らかになるように、２０ＭＨｚのレガシーパケットは各々、２０ＭＨｚの非レガシーパケットよりも、多数の上側エッジガードトーンまたは下側エッジガードトーンを（ＬＴＦおよびデータ部分に）含む。非レガシーパケットは、ＩＥＥＥ  ８０２．１１ｎ／ａｃレガシー複製モードまたはＩＥＥＥ  ８０２．１１ｎ  ＭＣＳ３２複製モードを用いる場合は一定の利点を与える。長距離通信プロトコルがＩＥＥＥ  ８０２．１１ｎの信号またはＩＥＥＥ  ８０２．１１ａｃの信号のダウンクロックされたバージョンと実質的に同様な長距離データユニットを定義するいくつか��実施形態において、長距離通信プロトコルは、しかしながら、レガシーパケットのダウンクロックされたバージョンは１つも定義しない。従って、このような実施形態においては長距離通信プロトコルはレガシー複製モードを定義せず、レガシーデータ部分が複数のサブバンドの各々に複製されるＭＣＳ３２複製モードのダウンクロックされたバージョンをサポートしない。結果的に、受信感度を高めるべく長距離通信プロトコルが複製モードを提供するには異なる手法が必要となる。そのような手法のさまざまな実施形態が、ＩＥＥＥ  ８０２．１１ｎ規格およびＩＥＥＥ  ８０２．１１ａｃ規格下で現在定義される複製モードのより詳細な説明とともに、以下に記載される。
【００１９】
図１は、ある実施形態による、長距離通信プロトコルが実装されるＷＬＡＮ１０の例のブロック図である。ＷＬＡＮ１０は、ネットワークインタフェース１６に連結されるホストプロセッサ１５を有するＡＰ１４を含む。ネットワークインタフェース１６は媒体アクセス制御（ＭＡＣ）プロセッシングユニット１８および物理層（ＰＨＹ）プロセッシングユニット２０を含む。ＰＨＹプロセッシングユニット２０は複数の送信機２１を含み、複数の送信機２１は複数のアンテナ２４に連結される。図１においては、3機の送信機２１および3機のアンテナ２４が図示されているが、他の実施形態においては、ＡＰ１４は異なる数（例えば、１、２、４、５、など）の送信機２１およびアンテナ２４を含み得る。
【００２０】
ＷＬＡＮ１０はさらに複数のクライアント局２５を含む。図１においては、４局のクライアント局２５が図示されているが、さまざまなシナリオおよび実施形態においては、ＷＬＡＮ１０は異なる数（例えば、１、２、３、５、６、など）のクライアント局２５を含み得る。クライアント局２５―１はネットワークインタフェース２７に連結されるホストプロセッサ２６を含む。ネットワークインタフェース２７はＭＡＣプロセッシングユニット２８およびＰＨＹプロセッシングユニット２９を含む。ＰＨＹプロセッシングユニット２９は複数の送信機３０を含み、複数の送信機３０は複数のアンテナ３４に連結される。図１においては、３機の送信機３０および３機のアンテナ３４が図示されているが、他の実施形態においては、クライアント局２５―１は、異なる数（例えば、１、２、４、５、など）の送信機３０およびアンテナ３４を含み得る。
【００２１】
いくつかの実施形態において、クライアント局２５―２、２５―３および２５―４のうちの１つ、いくつか、または全てが、クライアント局２５―１と同一のまたは同様の構造を有する。これらの実施形態においては、クライアント局２５―１と同一の、または同様の構造を有するクライアント局２５は、同一のまたは異なる数の送信機およびアンテナを有する。例えば、ある実施形態によると、クライアント局２５―２は２機の送信機および２機のアンテナのみ有する（図示せず）。
【００２２】
ある実施形態において、ＡＰ１４のＰＨＹプロセッシングユニット２０は、長距離通信プロトコルに準拠するデータユニットを生成すべく構成され、送信機２１はアンテナ２４を介して、生成されたデータユニットを送信すべく構成される。同様に、ある実施形態において、ＡＰ１４のＰＨＹプロセッシングユニット２０は、長距離通信プロトコルに準拠する受信データユニットを処理すべく構成される。データユニットはアンテナ２４を介して送信機２１によって受信される。長距離プロトコルに準拠するデータユニットは、さまざまな異なる実施形態により、図４−８を参照して説明される。
【００２３】
ある実施形態において、クライアントデバイス２５―１のＰＨＹプロセッシングユニット２９は長距離通信プロトコルに準拠するデータユニットを生成すべく構成され、送信機３０はアンテナ３４を介して、生成されたデータユニットを送信すべく構成される。同様に、ある実施形態において、クライアントデバイス２５―１のＰＨＹプロセッシングユニット２９は、長距離通信プロトコルに準拠する受信データユニットを処理すべく構成される。データユニットはアンテナ３４を介して送信機３０によって受信される。
【００２４】
図２は、ある実施形態による、例示的な長距離通信プロトコルのチャネライゼーションスキーム４０の図である。ある実施形態において、チャネライゼーションスキーム４０は、ＷＬＡＮにおけるデータストリーム送信に使用される（例えば、図１のＷＬＡＮ１０）。例えば、さまざまな実施形態および／またはシナリオにおいて、チャネライゼーションスキーム４０内の１または複数のチャネルは、図１のＡＰ１４からクライアント局２５―１へ、および／またはその逆のＯＦＤＭ送信に用いられる。さまざまな異なるシナリオにおいて、チャネライゼーションスキーム４０内では、「コンポーネント」チャネル４２は、個々でデータ送信に使用され、または、ある実施形態においては、より大きな通信チャネルを形成すべく連結される。いくつかの実施形態において、図２に図示するよりも多い、または少ない数のコンポーネントチャネル４２が存在し得る。
【００２５】
いくつかの実施形態において、２つの隣接するコンポーネントチャネル４２が連結されてチャネル４４を形成し得る。例えば、コンポーネントチャネル４２―１および４２―２は連結されてチャネル４４―１を形成し得る。同様に、コンポーネントチャネル４２―３および４２―４は連結されてチャネル４４―２を形成し得る。さらに、いくつかの実施形態において、４つの隣接するコンポーネントチャネル４２は連結されてチャネル４６を形成し得る。例えば、コンポーネントチャネル４２―１から４２−４は連結されてチャネル４６―１を形成し得る。同様に、コンポーネントチャネル４２―５から４２−８は連結されてチャネル４６―２を形成し得る。さらにいくつかの実施形態において、８つの隣接するコンポーネントチャネル４２は連結されてチャネル４８を形成し得る。例えば、コンポーネントチャネル４２―１から４２−８は連結されてチャネル４８―１を形成し得る。
【００２６】
ある実施形態において、ＢＳＳを確立する際、ＡＰ（例えば、図１のＡＰ１４）はコンポーネントチャネル４２の１または複数に優先度を割り当てる。一実施形態において、例えば、ＡＰはチャネル４２のうちの１つを「プライマリ」チャネルに指定し、コンポーネントチャネル４２のうちの１または複数を「セカンダリ」チャネルに指定する。いくつかの実施形態において、１または複数の追加的な優先度レベル（「ターシャリ（ｔｅｒｔｉａｒｙ）」など）も、他のコンポーネントチャネル４２に割り当てられる。ある実施形態において、割り当てられたプライマリ、セカンダリ、などのコンポーネントチャネル４２は、媒体アクセス制御の目的（すなわち、ＢＳＳ内のデータ送信に利用可能なチャネルを決定するため）でモニタされる。
【００２７】
例示するチャネライゼーションスキーム４０において、各コンポーネントチャネル４２は２ＭＨｚの帯域幅、各チャネル４４は４ＭＨｚの帯域幅、各チャネル４６は８ＭＨｚの帯域幅、およびチャネル４８―１は１６ＭＨｚの帯域幅を有する。他の実施形態において、各コンポーネントチャネル４２は、１ＭＨｚ、５ＭＨｚ、１０ＭＨｚ、２０ＭＨｚ、などの異なる適切な帯域幅を有する。一実施形態において、長距離データユニットは、帯域幅が、チャネル４２、４４、４６および４８のうちの最も広い利用可能なチャネルの帯域幅と等しくなるべくＡＰ（例えばＡＰ１４）またはクライアント局（例えばクライアント局２５―１）によって生成される。一実施形態において、最も広い利用可能なチャネルは、１または複数の媒体アクセス規則に応じるチャネルである。一実施形態において、例えば、何れのＢＳＳチャネルも、ＡＰがプライマリチャネルに指定したコンポーネントチャネル４２を含まなくてはならない（すなわち、プライマリチャネルがアイドルであると決定されない限り送信が許可されない）。より一般的には、いくつかの実施形態において、優先度の高い別のコンポーネントチャネル４２がビジーであると決定される場合、優先度の低いコンポーネントチャネル４２はビジーとみなされる（コンポーネントチャネル４２のビジーまたはアイドルに関わらず）。  さまざまな実施形態による、プライマリ、セカンダリ、などのチャネル割り当てを用いる媒体アクセス技術の例が、米国特許出願第１３／０３４，４０９号、「Ｍｅｔｈｏｄｓ  ａｎｄ  Ａｐｐａｒａｔｕｓ  ｆｏｒ  Ｄｅｔｅｒｍｉｎｉｎｇ  ａ  Ｃｏｍｐｏｓｉｔｅ  Ｃｈａｎｎｅｌ」に記載されており、その開示を本明細書中参照としてここに組み込む。
【００２８】
図３Ａ−３Ｄは、現在利用可能なＩＥＥＥ  ８０２．１１ｎ規格および／またはＩＥＥＥ  ８０２．１１ａｃ規格に準拠するデータユニット（パケット）のトーンマップの図である。まず図３Ａを参照すると、トーンマップ５０は、レガシーＩＥＥＥ  ８０２．１１ａまたはＩＥＥＥ  ８０２．１１ｇのデバイスによりデコード可能な２０ＭＨｚのレガシーパケットのＬＴＦおよびデータ部分のＯＦＤＭトーンマップである。トーンマップ５０は、低帯域側ノンゼロトーン５２―１および高帯域側ノンゼロトーン５２―２を含む。データ部分を具体的に参照すると、トーンマップ５０は、トーン５２―１内に２４の低帯域側データトーンおよび２つの低帯域側パイロットトーンを含み、トーン５２―２内に２４の高帯域側データトーンおよび２つの高帯域側パイロットトーンを含む。トーンマップ５０はまた、１つのＤＣ（ヌル）トーン５４、６つの下側エッジガード（ヌル）トーン５６―１、および５つの上側エッジガード（ヌル）トーン５６―２を含む。
【００２９】
図３Ｂのトーンマップ６０は、ＩＥＥＥ  ８０２．１１ｎ規格およびＩＥＥＥ  ８０２．１１ａｃ規格に準拠する非レガシーの２０ＭＨｚのパケットのＬＴＦおよびデータ部分のＯＦＤＭトーンマップである。トーンマップ６０は低帯域側ノンゼロトーン６２―１および高帯域側ノンゼロトーン６２―２を含む。データ部分を具体的に参照すると、トーンマップ６０は、トーン６２―１内に２６の低帯域側データトーンおよび２つの低帯域側パイロットトーンを含み、トーン６２―２内に２６の高帯域側データトーンおよび２つの高帯域側パイロットトーンを含む。トーンマップ６０はまた、１つのＤＣ（ヌル）トーン６４、４つの下側エッジガード（ヌル）トーン６６―１、および３つの上側エッジガード（ヌル）トーン６６―２を含む。ゆえに、トーンマップ６０を有する２０ＭＨｚの非レガシーパケットは、図３Ａのトーンマップ５０を有する２０ＭＨｚのレガシーパケットより、下側エッジガードトーンは２つ少なく、上側エッジガードトーンも２つ少ない。
【００３０】
図３Ｃのトーンマップ７０は、ＩＥＥＥ  ８０２．１１ｎ規格およびＩＥＥＥ  ８０２．１１ａｃ規格に準拠する真の（非複製モードの）４０ＭＨｚのパケットのＬＴＦおよびデータ部分のＯＦＤＭトーンマップである。トーンマップ７０は低帯域側ノンゼロトーン７２―１および高帯域側ノンゼロトーン７２―２を含む。データ部分を具体的に参照すると、トーンマップ７０は、トーン７２―１内に５４の低帯域側データトーンおよび３つの低帯域側パイロットトーンを含み、トーン７２―２内に５４の高帯域側データトーンおよび３つの高帯域側パイロットトーンを含む。トーンマップ７０はまた、３つのＤＣ（ヌル）トーン７４、６つの下側エッジガード（ヌル）トーン７６―１、および５つの上側エッジガード（ヌル）トーン７６―２を含む。ゆえに、トーンマップ７０を有する真の４０ＭＨｚのパケットは、２０ＭＨｚのレガシーパケット（トーンマップ５０）と下側エッジおよび上側エッジガードトーンの数が同じであり、真の４０ＭＨｚのパケットおよび２０ＭＨｚのレガシーパケットの両方は、２０ＭＨｚの非レガシーパケット（トーンマップ６０）よりも下側エッジおよび上側エッジガードトーンの数が多い。
【００３１】
複製モードの４０ＭＨｚ（またはより広い）パケットが、真の４０ＭＨｚ（またはより広い）パケットよりも厳しいフィルタ設計要件を必要とするシナリオを回避すべく、ＩＥＥＥ  ８０２．１１ｎ規格およびＩＥＥＥ  ８０２．１１ａｃ規格は、トーンマップ６０を有する２０ＭＨｚの非レガシーパケットがより広い帯域幅の信号の２以上のサブバンドに複製される何れのモードまたはデータユニットも定義しない。その代わりに上述したように、ＩＥＥＥ  ８０２．１１ｎ規格およびＩＥＥＥ  ８０２．１１ａｃ規格は、完全な（プリアンブルおよびデータ部分）２０ＭＨｚのレガシーパケットが、２以上のサブバンドに複製されるレガシー複製モードを定義し、ＩＥＥＥ  ８０２．１１ｎはさらに、レガシーパケットのデータ部分は２つのサブバンドに複製されるが、プリアンブル部分は真の４０ＭＨｚのパケットと同じであるＭＣＳ３２複製モードを定義する。
【００３２】
図３Ｄのトーンマップ８０は、ＩＥＥＥ  ８０２．１１ｎ規格およびＩＥＥＥ  ８０２．１１ａｃ規格に準拠するレガシー複製モードの４０ＭＨｚのパケットのＬＴＦおよびデータ部分のＯＦＤＭトーンマップである。トーンマップ８０は低帯域側ノンゼロトーン８２―１および高帯域側ノンゼロトーン８２―２を含む。トーンマップ８０はレガシー複製モードに対応しているので、トーン８２―１はトーンマップ５０に示す２０ＭＨｚのレガシーデータユニットのトーン５２―１、５４および５２―２と同一であり、トーン８２―２はまた、トーンマップ５０に示す２０ＭＨｚのレガシーデータユニットのトーン５２―１、５４および５２―２と同一である。トーンマップ８０はまた、１１のＤＣ（ヌル）トーン８４、６つの下側エッジガード（ヌル）トーン８６―１、および５つの上側エッジガード（ヌル）トーン８６―２を含む。
【００３３】
レガシー複製モードでは、パケットはＬＴＦおよびデータ部分の両方に対して２０ＭＨｚのレガシーパケット（トーンマップ５０）の周波数複製を使用するので、レガシー複製モードパケット全体に６つの下側エッジガードトーンおよび５つの上側エッジガードトーンが維持される。故に、レガシー複製モードの４０ＭＨｚのパケットは、図３Ｃのトーンマップ７０に対応する真の４０ＭＨｚのパケットと同じガードトーン保護を有する。従って、所与の帯域幅を有するパケットに対して、そのパケットがレガシー複製モードに対応しているかどうかに関わらず、同じ送受信フィルタ設計要件を用いることが可能である。送受信フィルタリング要件は、一般に、より小さい数のガードトーンに対応するバンドエッジによって決定づけられる。例えば、６つの下側エッジガードトーンおよび５つの上側エッジガードトーンを有するパケットに対する送受信フィルタ設計要件は、一般的に５つの上側エッジガードトーンによって決定づけられるであろう。
【００３４】
ＩＥＥＥ  ８０２．１１ｎ規格のＭＣＳ３２複製モードにおいて、４０ＭＨｚのデータユニットは真の４０ＭＨｚのデータユニットのプリアンブルを使用し、一方でデータ部分はレガシー複製モードにおけるものと同じである（すなわち、データ部分は２つの２０ＭＨｚのサブバンドの各々内の２０ＭＨｚのレガシーパケットの周波数複製から成る）。従って、ＭＣＳ３２複製モードの４０ＭＨｚのパケットは、トーンマップ７０を有するＬＴＦ、およびトーンマップ８０を有するデータ部分を有する。ゆえに、レガシー複製モードにおいてそうであるように、ＭＣＳ３２複製モードの４０ＭＨｚのパケットは、真の４０ＭＨｚのパケットと同じ数の下側エッジガードトーンおよび上側エッジガードトーンを提供し、真の４０ＭＨｚのパケットと同じ送受信フィルタ設計要件を可能にする。真の４０ＭＨｚのパケットのプリアンブルを用いることで、しかしながら、ＭＣＳ３２複製モードは、ＳＩＧフィールドのデコードの際、受信機が合成技術を使用できなくし、受信感度上のボトルネックを生むことになり得る。
【００３５】
特に、２０ＭＨｚのレガシーパケットのＬＴＦのノンゼロトーンは、真の４０ＭＨｚのパケットのＬＴＦの上側および下側の２０ＭＨｚのサブバンドの各々における各ノンゼロトーンと同じトーン値を有する。ゆえに、ＭＣＳ３２複製モードの４０ＭＨｚのパケットは、レガシー複製モードの４０ＭＨｚのパケットと同じく、２０ＭＨｚのサブバンドそれぞれが、受信デバイスには、スタンドアロンの２０ＭＨｚのレガシーデータユニットのように見えることがあるという特性を有する。
【００３６】
いくつかの実施形態において、長距離通信プロトコルは周波数複製を使用してＢＳＳおよび／またはＯＢＳＳの帯域幅保護を与え、および／または受信感度を高めるが、レガシーパケット（またはその部分部分）のダウンクロックされたバージョンに対応するいかなるデータユニットも定義しない。ゆえに、これらの実施形態において、長距離通信プロトコルはＭＣＳ３２複製モードデータユニット（レガシーパケットのデータ部分を複製する）またはレガシー複製モードデータユニット（レガシーパケット全体を複製する）のいずれかのダウンクロックされたバージョンを使用し得ない。従って、これらの実施形態においては、長距離通信プロトコルは、複製モードデータユニットを生成すべくＩＥＥＥ  ８０２．１１ｎ規格およびＩＥＥＥ  ８０２．１１ａｃ規格のものとは異なる技術を用いなくてはならない。一実施形態において、複製モードの長距離データユニット（例えば、パケット）は、非レガシーの、より狭い帯域幅の長距離データユニットを２以上のサブバンドの各々に複製して生成される。一実施形態において、例えば、非レガシーの、可能な限り狭いＢＳＳチャネル帯域幅に対応する長距離データユニットは各サブバンドに複製される。説明を簡単にするために、可能な限り狭いＢＳＳチャネル帯域幅が２ＭＨｚで、複製モードまたは非複製モードの長距離データユニットの帯域幅が、ＢＳＳチャネルに応じて２ＭＨｚ、４ＭＨｚ、８ＭＨｚまたは１６ＭＨｚであるような、図２に示すものと同様なチャネライゼーションスキームを使用するある実施形態を参照して、長距離通信プロトコルが以下に説明される。
【００３７】
図４Ａ、４Ｂおよび４Ｃは、一実施形態による、それぞれ２ＭＨｚの長距離データユニットのトーンマップ図の例、真の４ＭＨｚの長距離データユニット（周波数複製を用いずに形成された）のトーンマップ図の例、および複製モードの４ＭＨｚの長距離データユニットのトーンマップ図の例である。図４Ａ―４Ｃのトーンマップは、各データユニットのうちの少なくともデータ部分のトーンを表している。さまざまな実施形態および／またはシナリオにおいて、図４Ａ―４Ｃのトーンマップは、図１のＡＰ１４のＰＨＹプロセッシングユニット２０またはクライアント局２５―１のＰＨＹプロセッシングユニット２９によって生成される長距離データユニットに対応する。
【００３８】
まず図４Ａを参照すると、トーンマップ２００は、２ＭＨｚの長距離データユニットが低帯域側ノンゼロトーン２０２―１および高帯域側ノンゼロトーン２０２―２を含むことを示している。例えば一実施形態において、２ＭＨｚの長距離データユニットのデータ部分を参照すると、トーンマップ２００は、トーン２０２―１内に２６の低帯域側データトーンおよび２つの低帯域側パイロットトーンを含み、トーン２０２―２内に２６の高帯域側データトーンおよび２つの高帯域側パイロットトーンを含む。トーンマップ２００はまた、１つのＤＣ（ヌル）トーン２０４、４つの下側エッジガード（ヌル）トーン２０６―１、および３つの上側エッジガード（ヌル）トーン２０６―２を含む。ある実施形態において、トーンマップ２００は６４ポイントＩＦＦＴを利用して生成される。さらに、ある実施形態において、トーンマップ２００に対応する２ＭＨｚの長距離データユニットは、ＩＥＥＥ  ８０２．１１ｎ規格またはＩＥＥＥ  ８０２．１１ａｃ規格で定義されるように、２０ＭＨｚの非レガシーパケットの１０倍ダウンクロックされたバージョンである。
【００３９】
図４Ｂを参照すると、トーンマップ２２０は、周波数複製を用いずに形成された真の４ＭＨｚの長距離データユニットが低帯域側ノンゼロトーン２２２―１および高帯域側ノンゼロトーン２２２―２を含むことを示している。例えば一実施形態において、真の４ＭＨｚの長距離データユニットのデータ部分を参照すると、トーンマップ２２０は、トーン２２２―１内に５４の低帯域側データトーンおよび３つの低帯域側パイロットトーンを含み、トーン２２２―２内に５４の高帯域側データトーンおよび３つの高帯域側パイロットトーンを含む。トーンマップ２２０はまた、３つのＤＣ（ヌル）トーン２２４、６つの下側エッジガード（ヌル）トーン２２６―１、および５つの上側エッジガード（ヌル）トーン２２６―２を含む。さまざまな実施形態において、トーンマップ２２０は、１２８ポイントＩＦＦＴ、または２つの６４ポイントＩＦＦＴを並列で利用して、などで生成される。さらに、ある実施形態において、トーンマップ２２０に対応する真の４ＭＨｚの長距離データユニットは、ＩＥＥＥ  ８０２．１１ｎ規格またはＩＥＥＥ  ８０２．１１ａｃ規格で定義されるように、真の４０ＭＨｚのデータユニットの１０倍ダウンクロックされたバージョンである。
【００４０】
図４Ｃは、複製モードの４ＭＨｚの長距離データユニットに対応するトーンマップ２４０を示す。複製モードの４ＭＨｚの長距離データユニットにおいては、データユニットは、例えば、真の４ＭＨｚの長距離データユニットよりも受信感度を向上させ、および／または、より強固なチャネル保護を与えるべく、トーンマップ２００に対応する２ＭＨｚの長距離データユニットを２ＭＨｚのサブバンドの各々に複製して生成される。トーンマップ２４０は低帯域側ノンゼロトーン２４２―１および高帯域側ノンゼロトーン２４２―２を含む。例えば一実施形態において、複製モードの４ＭＨｚの長距離データユニットのデータ部分を参照すると、トーンマップ２４０は、トーン２４２―１内に５２の低帯域側データトーンおよび４つの低帯域側パイロットトーンを含み、トーン２４２―２内に５２の高帯域側データトーンおよび４つの高帯域側パイロットトーンを含む。トーンマップ２４０はまた、７つのＤＣ（ヌル）トーン２４４、４つの下側エッジガード（ヌル）トーン２４６―１、および３つの上側エッジガード（ヌル）トーン２４６―２を含む。ある実施形態において、トーンマップ２４０のインデックス−６４から−１のトーンはそれぞれ、トーンマップ２００のインデックス−３２から＋３１のトーンと同一であり、トーンマップ２４０のインデックス０から＋６３のトーンはまたそれぞれ、トーンマップ２００のインデックス−３２から＋３１のトーンと同一である。
【００４１】
他の実施形態において、トーンマップ２００、２２０および／または２４０は、図４Ａ−４Ｃに示されるものとは異なる数のノンゼロトーン（例えば、データトーンおよび／またはパイロットトーン）、ＤＣトーン、下側エッジガードトーン、および／または上側エッジガードトーンを含む。図４Ａ−４Ｃにあるように、しかしながら、これらの代替実施形態の各々におけるトーンマップ２００は、真の４ＭＨｚの長距離データユニットのトーンマップ２２０より少ない数の下側エッジおよび上側エッジガードトーンを含み、それが今度は複製モードのトーンマップ２４０に、トーンマップ２２０より少ない数の下側エッジガードトーンおよび上側エッジガードトーンを含ませることになる。これらの代替実施形態においては、図４Ａ−４Ｃに示される実施形態にあるように、複製モードの４ＭＨｚの長距離データユニット（トーンマップ２４０）においてガードトーンの数が減ったことで、真の４ＭＨｚの長距離データユニット（トーンマップ２２０）に比べ、より厳しい送信および／または受信フィルタ要件をもたらす。
【００４２】
ある実施形態において、長距離通信プロトコルはまた、４ＭＨｚより大きい帯域幅を有する、１または複数タイプの複製モードの信号をサポートする。図５Ａおよび５Ｂは、８ＭＨｚの長距離データユニットが、真の８ＭＨｚの長距離データユニットまたは複製モードの８ＭＨｚの長距離データユニットの何れかとして生成され得る一実施形態に対応する。図５Ａおよび図５Ｂのトーンマップは、それぞれのデータユニットのうちの少なくともデータ部分のトーンを表している。さまざまな実施形態および／またはシナリオにおいて、図５Ａおよび５Ｂのトーンマップは、図１におけるＡＰ１４のＰＨＹプロセッシングユニット２０またはクライアント局２５―１のＰＨＹプロセッシングユニット２９により生成される長距離データユニットに対応する。
【００４３】
まず図５Ａを参照すると、トーンマップ３００は、周波数複製しない、真の８ＭＨｚの長距離データユニットが、低帯域側ノンゼロトーン３０２―１および高帯域側ノンゼロトーン３０２―２を含むことを示している。例えば一実施形態において、真の８ＭＨｚの長距離データユニットのデータ部分を参照すると、トーンマップ３００は、トーン３０２―１内に１１７の低帯域側データトーンおよび４つの低帯域側パイロットトーンを含み、トーン３０２―２内に１１７の高帯域側データトーンおよび４つの高帯域側パイロットトーンを含む。トーンマップ３００はまた、３つのＤＣ（ヌル）トーン３０４、６つの下側エッジガード（ヌル）トーン３０６―１、および５つの上側エッジガード（ヌル）トーン３０６―２を含む。さまざまな実施形態において、トーンマップ３００は、２５６ポイントＩＦＦＴ、または４つの６４ポイントＩＦＦＴを並列で利用して、などで生成される。さらに、ある実施形態において、トーンマップ３００に対応する真の８ＭＨｚの長距離データユニットは、ＩＥＥＥ  ８０２．１１ａｃ規格で定義されるように、真の８０ＭＨｚのデータユニットの１０倍ダウンクロックされたバージョンである。
【００４４】
図５Ｂは、別の８ＭＨｚの長距離データユニットに対応するトーンマップ３２０を示す。別の８ＭＨｚの長距離データユニットにおいては、データユニットは、例えば、トーンマップ３００を有する真の８ＭＨｚの長距離データユニットよりも受信感度を向上させ、および／または、より強固なチャネル保護を与えるべく、２ＭＨｚの長距離データユニット（図４Ａのトーンマップ２００に対応する）を２ＭＨｚのサブバンドの各々内に複製して生成される。トーンマップ３２０は、低帯域側ノンゼロトーン３２２―１および３２２―２、および高帯域側ノンゼロトーン３２２―３および３２２―４を含む。トーンマップ３２０はまた、７つのＤＣ（ヌル）トーン３２４、４つの下側エッジガード（ヌル）トーン３３０―１、および３つの上側エッジガード（ヌル）トーン３３０―２を含む。ある実施形態において、トーンマップ３２０のインデックス−１２８から−６５の１セットのトーン、トーンマップ３２０のインデックス−６４から−１の１セットのトーン、トーンマップ３２０のインデックス０から＋６３の１セットのトーン、およびトーンマップ３２０のインデックス＋６４から＋１２７の１セットのトーンはそれぞれ、図４Ａのトーンマップ２００のインデックス−３２から＋３１の各トーンと同一である。さまざまな実施形態において、トーンマップ３２０は、２５６ポイントＩＦＦＴ、または４つの６４ポイントＩＦＦＴを並列で利用して、などで生成される。
【００４５】
トーンマップ３００および／またはトーンマップ３２０の他の実施形態は、図５Ａおよび図５Ｂに示されるものとは異なる数のノンゼロトーン（例えば、データトーンおよび／またはパイロットトーン）、ＤＣトーン、下側エッジガードトーン、および／または上側エッジガードトーンを含む。図５Ａおよび図５Ｂに示される実施形態にあるように、しかしながら、これらの代替実施形態の各々におけるトーンマップ３２０は、トーンマップ３００（真の８ＭＨｚの長距離データユニットの）より少ない数の下側エッジガードトーンおよび上側エッジガードトーンを含み、それが今度は複製モードのトーンマップ３２０に、トーンマップ３００より少ない数の下側エッジガードトーンおよび上側エッジガードトーンを含ませることになる。これらの代替実施形態においては、図５Ａおよび図５Ｂの実施形態にあるように、複製モードの８ＭＨｚの長距離データユニット（トーンマップ３２０）においてガードトーンの数が減ったことで、真の８ＭＨｚの長距離データユニット（トーンマップ３００）に比べ、より厳しい送信および／または受信フィルタ要件をもたらす。
【００４６】
いくつかの実施形態において、複製モードは、より広い帯域幅の信号にも用いられ得る。例えば一実施形態において、長距離通信プロトコルは、図４Ｃのトーンマップ２４０に対応する４ＭＨｚの複製モード、図５Ｂのトーンマップ３２０に対応する８ＭＨｚの複製モード、および１６ＭＨｚの複製モード（図示せず）をサポートする。このような一実施形態において、真の１６ＭＨｚの長距離データユニットは、８ＭＨｚのサブバンドの各々が真の８ＭＨｚの長距離データユニット（トーンマップ３００を有する）と同一であるように生成され、複製モードの１６ＭＨｚの長距離データユニットは、８ＭＨｚのサブバンドの各々が複製モードの８ＭＨｚの長距離データユニット（トーンマップ３２０を有する）と同一であるように生成される。この実施形態において、これまで議論した４ＭＨｚのデータユニットおよび８ＭＨｚのデータユニットと同様に、複製モードの１６ＭＨｚの長距離データユニットは、真の１６ＭＨｚの長距離データユニットよりも厳しい送信および／または受信フィルタ設計要件をもたらす。ある実施形態において、真の１６ＭＨｚの長距離データユニットは、ＩＥＥＥ  ８０２．１１ａｃ規格で定義されるように、真の１６０ＭＨｚのデータユニットの１０倍ダウンクロックされたバージョンである。
【００４７】
いくつかの実施形態において、各長距離データユニットは、図６Ａおよび図６Ｂに示されるプリアンブルフォーマットなどの複数の異なるプリアンブルフォーマットのうちの１つを有し得る。図６Ａは、そのような一実施形態による、「ショートプリアンブル」フォーマットを有する例示的な長距離データユニット４００の図である。長距離データユニット４００はショートプリアンブル４０２およびデータ部分４０４を含む。図６Ａおよび図６Ｂの例示的な実施形態において、ショートプリアンブル４０２は、２つのＯＦＤＭシンボルを有するＳＴＦ４１０、２つのＯＦＤＭシンボルを有する第１のＬＴＦ（ＬＴＦ１）４１２、２つのＯＦＤＭシンボルを有するＳＩＧフィールド４１４、および、それぞれが１つのＯＦＤＭシンボルを有する全Ｎ−１個の追加のＬＴＦ（４１６−１から４１６−Ｎ）を含む。ある実施形態において、ＳＴＦ４１０はパケット検出および自動利得制御に用いられ、ＬＴＦ４１２および４１６−１から４１６−Ｎはチャネル推定に用いられ、ＳＩＧフィールド４１４は、データユニットの特定のＰＨＹ特性（例えば、長さまたは期間、ＭＣＳ、など）を示す。ある実施形態において、ショートプリアンブル４０２は、複数の多入力多出力（ＭＩＭＯ）空間ストリームの各々に対して１つのＬＴＦを含む（例えば、２つの空間ストリームに対しては、ショートプリアンブル４０２はＬＴＦ１  ４１２およびＬＴＦ２  ４１６−１を含み、それ以上のＬＴＦは含まないように）。ある実施形態において、長距離データユニット４００は、「グリーンフィールド」プリアンブルフォーマットを有するＩＥＥＥ  ８０２．１１ｎのデータユニットと同じフォーマットを有する。
【００４８】
図６Ｂは「ロングプリアンブル」フォーマットを有する例示的な長距離データユニット４２０の図である。長距離データユニット４２０は、ロングプリアンブル４２２およびデータ部分４２４を含む。図６Ａおよび図６Ｂの例示的な実施形態において、ロングプリアンブル４２２は２つのＯＦＤＭシンボルを有する第１のレガシーＳＴＦ（Ｌ−ＳＴＦ）４３０、２つのＯＦＤＭシンボルを有する第１のレガシーＬＴＦ（Ｌ−ＬＴＦ１）４３２、２つのＯＦＤＭシンボルを有する第１のレガシーＳＩＧ（ＳＩＧＡ）フィールド４３４、１つのＯＦＤＭシンボルを有する第２の非レガシーＳＴＦ４４０、それぞれが１つのＯＦＤＭシンボルを有する、Ｎ−１個の追加的な非レガシーＬＴＦ（４４２−１から４４２−Ｎ）、および１つのＯＦＤＭシンボルを有する第２の非レガシーＳＩＧ（ＳＩＧＢ）フィールド４４４を含む。ある実施形態において、長距離データユニット４２０のロングプリアンブルフォーマットは、マルチユーザモードである場合に用いられ、ロングプリアンブル４２２のＬＴＦ４４２は１ユーザにつき１つのＬＴＦを含む。いくつかの実施形態において、受信機は、第１のＳＩＧフィールド内（すなわち、長距離データユニット４００のＳＩＧフィールド４１４、または長距離データユニット４２０のＳＩＧＡフィールド４３４）の１または複数のＯＦＤＭシンボルの変調タイプを決定することによって、長距離データユニットがショートプリアンブルフォーマットとロングプリアンブルフォーマットのどちらを有するか自動検出する。ある実施形態において、長距離データユニット４２０は、「混合モード」のプリアンブルフォーマットを有するＩＥＥＥ  ８０２．１１ｎのデータユニットと同じフォーマットを有するか、またはＩＥＥＥ  ８０２．１１ａｃのデータユニットと同じフォーマットを有する。
【００４９】
いくつかの実施形態において、複製モードの長距離データユニットは、２ＭＨｚの長距離データユニットのデータ部分の周波数複製のみならず、２ＭＨｚの長距離データユニットのプリアンブル部分の周波数複製をも含む。２ＭＨｚの長距離データユニットが、ＳＴＦ、ＬＴＦおよびＳＩＧフィールドを有するプリアンブルを有する一実施形態においては、例えば、複製モードの４ＭＨｚまたはそれより大きい長距離データユニットは２ＭＨｚのＳＴＦを２ＭＨｚのサブバンドの各々に複製し、２ＭＨｚのＬＴＦを２ＭＨｚのサブバンドの各々に複製し（例えば、ある実施形態においては、結果的にＬＴＦトーンは図４Ｃのトーンマップ２４０になる）、２ＭＨｚのＳＩＧフィールドを２ＭＨｚのサブバンドの各々に複製する。真の４ＭＨｚ（またはそれより大きい）長距離データユニットプリアンブルを用いるのではなく、２ＭＨｚの信号のＬＴＦを複製することによって、受信デバイスは複製モードの長距離データユニットのデータ部分の全てのノンゼロトーンにわたって、有効なチャネルの推定を得ることが可能である。
【００５０】
他の実施形態において、しかしながら、複製モードの長距離データユニットは、代わりにＬＴＦに真の４／８／１６ＭＨｚの長距離データユニットのトーンプランを用いる。例えば、複製モードの４ＭＨｚの長距離データユニットが、図４Ｃのトーンプラン２４０を有するデータ部分を有する一実施形態においては、複製モードの４ＭＨｚの長距離データユニットのＬＴＦは、むしろ図４Ｂのトーンプラン２２０を有する。そのような実施形態においては、受信機性能は、下側および上側の２ＭＨｚのサブバンドにおいて低下することもある。なぜならそれらのサブバンドの各々におけるデータ部分は、それらのサブバンドにおけるＬＴＦの対応する２ＭＨｚの部分よりも２つ多いトーンを有するからである。
【００５１】
複製モードの長距離データユニットがデータ部分のみならずプリアンブルも複製する一実施形態において、各複製された２ＭＨｚのＳＩＧフィールド内のフィールドは、スタンドアロンの２ＭＨｚの長距離データユニット内のフィールドと同じであり（例えば、ある実施形態においては、帯域幅フィールド、ＭＣＳフィールド、符号化フィールドなどを含む）、帯域幅フィールドは２ＭＨｚの帯域幅を示す。この実施形態においては、複製モードの信号の２ＭＨｚのサブバンドの各々は、受信デバイスにはスタンドアロンの２ＭＨｚの信号と同じであるように見える。
【００５２】
長距離データユニットが、図６Ａのショートプリアンブルフォーマットまたは図６Ｂのロングプリアンブルフォーマットの何れかを有し得る一実施形態において、長距離通信プロトコルはショートプリアンブルフォーマットを有する長距離データユニットのためだけの複製モードをサポートする。別の実施形態においては、長距離通信プロトコルは、ショートプリアンブルフォーマットまたはロングプリアンブルフォーマットの何れかを有する長距離データユニットのための複製モードをサポートする。図７Ａおよび図７Ｂはそれぞれ、ある実施形態による、図６Ａのショートプリアンブルフォーマットを有する例示的な複製モードの４ＭＨｚの長距離データユニットの図と、図６Ｂのロングプリアンブルフォーマットを有する例示的な複製モードの４ＭＨｚの長距離データユニットの図である。まず図７Ａを参照すると、複製モードの４ＭＨｚの長距離データユニット５００は複製されたショートプリアンブル５０２および複製されたデータ部分５０４を含む。ある実施形態において、複製されたショートプリアンブル５０２は、複製された、ＳＴＦ５１０、ＬＴＦ１  ５１２、ＳＩＧフィールド５１４、およびＬＴＦ５１６―１から５１６−Ｎを含み、その２ＭＨｚの複製の各々は、図６ＡのＳＴＦ４１０、ＬＴＦ１  ４１２、ＳＩＧフィールド４１４、およびＬＴＦ４１６―１から４１６−Ｎとそれぞれ同じである（すなわち、同じトーンマップを有し、いくつかの実施形態においては同じＳＩＧフィールドコンテンツを有する）。ある実施形態において、複製されたデータ部分５０４内の２ＭＨｚの複製の各々は、図６Ａのデータ部分４０４と同じである（すなわち、同じトーンマップを有する）。
【００５３】
図７Ｂを参照すると、複製モードの４ＭＨｚの長距離データユニット５２０は、複製されたロングプリアンブル５２２および複製されたデータ部分５２４を含む。ある実施形態において、複製されたロングプリアンブル５２２は、複製された、Ｌ−ＳＴＦ５３０、Ｌ−ＬＴＦ１  ５３２、ＳＩＧＡフィールド５３４、ＳＴＦ５３６、ＬＴＦ５４０―１から５４０−Ｎ、およびＳＩＧＢフィールド５４２を含み、その２ＭＨｚの複製の各々は、図６ＢのＬ−ＳＴＦ４３０、Ｌ−ＬＴＦ１  ４３２、ＳＩＧＡフィールド４３４、ＳＴＦ４４０、ＬＴＦ４４２―１から４４２−Ｎ、およびＳＩＧＢフィールド４４４とそれぞれ同じである（すなわち、同じトーンマップを有し、いくつかの実施形態においては同じＳＩＧフィールドコンテンツを有する）。ある実施形態において、複製されたデータ部分５２４における２ＭＨｚの複製の各々は、図６Ｂのデータ部分４２４と同じである（すなわち、同じトーンマップを有する）。
【００５４】
いくつかの実施形態において、長距離通信プロトコルは「協調的な（ｃｏｏｒｄｉｎａｔｅｄ）複製モード」をサポートする。協調的な複製モードにおいては、データプランおよびプリアンブルは、上述した実施形態のいずれかに従って複製されるが、ＳＩＧフィールド（例えば、図７Ａの複製されたＳＩＧフィールド５１４）またはＳＩＧＡフィールド（例えば、図７Ｂの複製されたＳＩＧＡフィールド５３４）は２ＭＨｚの信号を示すのではなく複製モードを示す。  そのような一実施形態において、ＳＩＧ／ＳＩＧＡフィールドの帯域幅フィールドは複製モードの長距離データユニットの完全な帯域幅（例えば、ある実施形態においては４ＭＨｚ、８ＭＨｚまたは１６ＭＨｚ）を受信デバイスに示し、別途未使用／確保済のＭＣＳは複製モードを受信デバイスに示す。長距離通信プロトコルが、例えば、さまざまな非複製モードの変調タイプおよび符号化タイプ／レートに対する「ＭＣＳ０」から「ＭＣＳ９」を定義し、「ＭＣＳ１０」は定義しない一実施形態において、「ＭＣＳ１０」は複製モードを受信機に示すために用いられる。そのような一実施形態において、長距離通信プロトコルは、複製モードに対し、１つの変調タイプおよび符号化タイプ／レート（例えば、１／２ＢＣＣ符号化でのＢＰＳＫ変調）、および／または、ただ１つの数の空間ストリーム（例えば、１つの空間ストリーム）を許容するのみである。
【００５５】
ＳＩＧ／ＳＩＧＡフィールドの帯域幅フィールドが、複製モードの長距離データユニットの完全な帯域幅を示す別の実施形態において、別途未使用／確保済のＳＩＧ／ＳＩＧＡフィールドのビットの組み合わせ、またはＳＩＧ／ＳＩＧＡフィールドにおける新たな「複製フィールド」は、複製モードを受信機に示すために用いられる。これらの実施形態のいくつかにおいて、長距離通信プロトコルは、複製モードの複数の異なる変調タイプおよび／または符号化タイプ／レートのうちの何れか１つを許容する。この実施形態の一例が、ショートプリアンブルにおけるＳＩＧフィールド（例えば、長距離データユニット５００のショートプリアンブルフォーマットの複製されたＳＩＧフィールド５１４）およびロングプリアンブルにおけるＳＩＧフィールド（例えば、長距離データユニット５２０のロングプリアンブルフォーマットの複製されたＳＩＧフィールド５３４）の両方について、表１に示される。
【表１】
2015523783.tif 000003
ある実施形態において、上に示したさまざまなフィールドは、現在のパケットの肯定応答（ＡＣＫ）フレームのフォーマットを示す「ＡＣＫインジケーション」フィールド以外は、ＩＥＥＥ  ８０２．１１ａｃ規格において定義されるものと同じである。
【００５６】
いくつかの実施形態において、表１のショートプリアンブルの符号化フィールドは、ＢＣＣ符号化またはＬＤＰＣ符号化のどちらが用いられているかを示す第１のビット、およびＬＤＰＣ符号化中に特別なシンボルを示す第２のビットを含む。そのような一実施形態においては、しかしながら、複製モードはＢＣＣ符号化と共に用いられるのみである。複製モードを示すべく、この実施形態において、符号化フィールドの第１のビットは、ＢＣＣ符号化が用いられていることを示し、一方第２のビット（さもなければＢＣＣ符号化に対する「確保済」ビットになるであろう）は、受信機に複製モードを示すために用いられる。ゆえに、この実施形態において、符号化フィールドの第２のビットは、１）特別なシンボルが存在するかどうか（第１のビットがＬＤＰＣ符号化を示す場合）、または２）長距離データユニットが複製モードデータユニット（第１のビットがＢＣＣ符号化を示す場合）であるかどうか、の何れかを示す。他の実施形態において（例えば、複製モードがＢＣＣ符号化に限らない実施形態）、表１のショートプリアンブルおよび／またはロングプリアンブルの「確保済」ビットのうちの１つは、代わりに「複製フィールド」として指定され、長距離データユニットが複製モードデータユニットであるかどうかを示すために用いられる。
【００５７】
複製モードがＳＩＧ（またはＳＩＧＡ）フィールドにおいて（さまざまな実施形態では、例えば、ＭＣＳフィールド、符号化フィールド、または専用の「複製フィールド」において）示されるいくつかの実施形態において、受信機は２以上の異なる２ＭＨｚのサブバンドの各々において複数の２ＭＨｚの信号をコヒーレントに合成すべく選び、受信を改善し得る。一実施形態およびシナリオにおいて、例えば、受信機は、現在の長距離データユニットが複製モードデータユニットであることをＳＩＧまたはＳＩＧＡフィールドから知り、それに応じて、複製された２ＭＨｚの信号をデコードする前に異なる２ＭＨｚのサブバンド信号上でＭＲＣ合成を実行する。２ＭＨｚのサブバンド上でＭＲＣ合成を使用することで、合成利得およびダイバーシチ利得の両方を得ることもできて、長距離データユニットがより小さい信号対雑音比（ＳＮＲ）点で正しく受信されデコードされることを可能にする。
【００５８】
いくつかの実施形態において、長距離通信プロトコルは、図７Ａの長距離データユニット５００のデータ部分５０４、または図７Ｂの長距離データユニット５２０のデータ部分５２４などのデータ部分を有するデータユニットに対し、複製モードを許容するのみである。さまざまな他の実施形態においては、しかしながら、長距離通信プロトコルは代わりに、または更に、データ部分を含まないヌルデータパケット（ＮＤＰ）のショートＭＡＣフレームに対し、複製モードを許容する。一実施形態においては、複製モードは、ＮＤＰショートＭＡＣフレームに対しても、データ部分が含まれないこと以外は長距離データユニットを参照して上述した複製モードと同じである（例えば、ＳＴＦ、ＬＴＦおよびＳＩＧフィールドは２ＭＨｚのサブバンドの各々において複製される）。さまざまなタイプのＮＤＰ制御フレーム（例えば、ＮＤＰショートＡＣＫフレームまたはＮＤＰショートＣＴＳフレーム）が、米国特許出願第１３／５８６，６７８号に記載されている。
【００５９】
図８は、このような一実施形態による、例示的な複製モードの４ＭＨｚの長距離ＮＤＰ５６０の図である。ある実施形態において、複製モードの４ＭＨｚの長距離ＮＤＰ５６０は、図７Ａの長距離データユニット５００の、複製されたＳＴＦ５１０、複製されたＬＴＦ１  ５１２、および複製されたＳＩＧフィールド５１４と同様な、複製されたＳＴＦ５６２、複製されたＬＴＦ１  ５６４、および複製されたＳＩＧフィールド５６６を含む。長距離データユニット５００とは異なり、しかしながら、複製モードの４ＭＨｚの長距離ＮＤＰ５６０は、データ部分を含まない。一実施形態において、複製モードの４ＭＨｚの長距離ＮＤＰ５６０は、４ＭＨｚのＢＳＳチャネルの４ＭＨｚの帯域幅全体を保護すべく用いられるショートＡＣＫフレームである。
【００６０】
ある代替実施形態において、４ＭＨｚの帯域幅のＮＤＰショートＭＡＣフレームは、帯域幅保護として直接、真の４ＭＨｚのＮＤＰショートＭＡＣフレームを用いる。この実施形態において、４ＭＨｚのＮＤＰショートＭＡＣフレームのＬＴＦ１は、真の４ＭＨｚの信号のトーンプラン（例えば、６つの下側エッジガードトーンおよび５つの上側エッジガードトーンを有する）を用い、２ＭＨｚのサブバンドの各々におけるＳＩＧフィールドは、ＬＴＦ１と同じ数の下側エッジガードトーンおよび上側エッジガードトーンを有する（例えば、ある実施形態においては、最も低いデータレートの、１０倍ダウンクロックされたＩＥＥＥ  ８０２．１１ａ／ｇレガシーパケットと同じ）。データ部分は含まれないので、ＬＴＦ１のトーンプランは、受信機が４ＭＨｚのＮＤＰショートＭＡＣフレームの２ＭＨｚのサブバンドの各々における２ＭＨｚのＳＩＧフィールドをデコードするのに十分である。いくつかの実施形態において、複製モードのＮＤＰフレームは、周波数複製を追加で用いることによって、より広い帯域幅（例えば、８ＭＨｚおよび／または１６ＭＨｚ）で生成されることも可能である。
【００６１】
いくつかの実施形態において、長距離通信プロトコルは、２ＭＨｚのサブバンドの各々の複製された２ＭＨｚの長距離データユニットに異なる位相シフトを適用して、信号のＰＡＰＲを低減させる。一実施形態において、例えば、［１，ｊ］の位相シフトが、複製モードの４ＭＨｚの長距離データユニットの２つの２ＭＨｚのサブバンドに適用され（すなわち、下側の２ＭＨｚのサブバンドは位相シフトなし、かつ上側の２ＭＨｚのサブバンドは９０度の位相シフト）、［１，−１，−１，−１］の位相シフトが、複製モードの８ＭＨｚの長距離データユニットの４つの２ＭＨｚのサブバンドに適用される（すなわち、最も下側の２ＭＨｚのサブバンドは位相シフトなし、かつ上側の３つの２ＭＨｚのサブバンドはそれぞれ１８０度の位相シフト）。位相シフトがさまざまな２ＭＨｚのサブバンドに適用される一実施形態において、位相シフトは各２ＭＨｚのサブバンドのプリアンブルおよびデータ部分の両方に適用される。長距離通信プロトコルがＮＤＰフレームに対して複製モードを許容するいくつかの実施形態において、同様な1セットの位相シフトが、複製モードのＮＤＰフレームの各々の２ＭＨｚのサブバンドに適用される。
【００６２】
図９は、ある実施形態による、ＢＳＳチャネルで送信される例示的なＯＦＤＭ信号の生成方法６００のフロー図である。方法６００は、2以上のコンポーネントチャネルのセットが集約されてＢＳＳチャネルを形成するチャネライゼーションスキームを採用する通信ネットワークにおいて用いられる（例えば、ある実施形態においては、図２のチャネライゼーションスキーム４０）。ある実施形態において、コンポーネントチャネルの帯域幅は、許容される限り最も低いＢＳＳチャネル帯域幅（例えば、２／４／８／１６ＭＨｚのＢＳＳチャネル帯域幅が許されるある実施形態においては２ＭＨｚ）に等しい。さまざまな実施形態およびシナリオにおいて、方法６００は、例えば図１のＡＰ１４のネットワークインタフェース１６によって、または局２５―１のネットワークインタフェース２７によって実装される。
【００６３】
ある実施形態において、方法６００を実装する通信デバイスは、ＢＳＳチャネルのコンポーネントチャネル内の単一コンポーネントチャネルに対応する非複製モードデータユニットと、ＢＳＳチャネルのコンポーネントチャネル内の隣接するコンポーネントチャネルの１セットに対応する非複製モードデータユニットとの両方を定義する長距離通信プロトコルに従い動作する。いくつかの実施形態および／またはシナリオにおいて、隣接するコンポーネントチャネルの1セットは、ＢＳＳチャネルと同じ（すなわち、全体としてＢＳＳチャネルと同じ広がりをもつ）である（例えば、図２のチャネル４４、４６または４８のうちの１つ）。他の実施形態および／またはシナリオにおいて、隣接するコンポーネントチャネルの１セットはＢＳＳチャネル全体よりも狭い範囲を占める。各コンポーネントチャネルが２ＭＨｚの帯域幅を有するいくつかの実施形態において、隣接するコンポーネントチャネルの１セットは、Ｎを０より大きい整数とすると、総帯域幅は２Ｎ×（２ＭＨｚ）である。
【００６４】
ある実施形態において、通信プロトコルは、隣接するコンポーネントチャネルの１セットに対応する非複製モードデータユニット（例えば、４ＭＨｚまたはそれより大きい非複製モードデータユニット）は、単一のコンポーネントチャネルに対応する非複製モードデータユニット（例えば、２ＭＨｚの非複製モードデータユニット）よりも、下側エッジガードトーンおよび／または上側エッジガードトーンを多く有することを規定する。一実施形態において、例えば、単一のコンポーネントチャネルに対応する非複製モードデータユニットは、図４Ａのトーンマップ２００を有し、隣接するコンポーネントチャネルの１セットに対応する非複製モードデータユニットは、図４Ｂのトーンマップ２２０を有する真の４ＭＨｚのデータユニット、または図５Ａのトーンマップ３００を有する真の８ＭＨｚのデータユニットの何れかである。
【００６５】
ブロック６０２において、複製モードをＯＦＤＭ送信に使用することが決定される。一実施形態およびシナリオにおいては、例えば、チャネル状態が悪いことを検知した結果、（ダイバーシチ利得および／または合成利得を得るべく）複製モードを使用することが決定される。一実施形態および／またはシナリオにおいて、複製モードを用いるかどうかについての決定は早い時期に最初に成され、ブロック６０２における決定は、先の決定に基づき設定されたインジケータまたはフラグの値をチェックして成される。
【００６６】
ブロック６０４において、ブロック６０２における、複製モードを使用するとの決定に応じて、隣接するコンポーネントチャネルの１セット（例えば、一実施形態および／またはシナリオにおいては、ＢＳＳチャネル全体）に対応する複製モードデータユニットが生成される。複製モードデータユニットは、隣接するコンポーネントチャネルの１セット内の各コンポーネントチャネルに対して、単一コンポーネントチャネルに対応する非複製モードデータユニットの1つの複製（周波数における）を含むように生成される。ゆえに、複製モードデータユニットは、同じ隣接するコンポーネントチャネルの１セットに対応する非複製モードデータユニットよりも少ない下側エッジガードトーン、および／または少ない上側エッジガードトーンを有するように生成される。一実施形態において、生成された複製モードデータユニットは、その単一コンポーネントチャネルに対応する非複製モードデータユニットと同じ数の下側エッジガードトーンおよび同じ数の上側エッジガードトーンを有する。例えば、通信プロトコルが、図４Ａのトーンマップ２００を有するような単一コンポーネントチャネルに対応する非複製モードデータユニットを定義し、図４Ｂのトーンマップ２２０を有するような隣接するコンポーネントチャネルの１セットに対応する非複製モードデータユニットを定義する一実施形態において、複製モードデータユニットは、図４Ｃのトーンマップ２４０を有するように生成される。
【００６７】
隣接するコンポーネントチャネルの１セットが、Ｎをゼロより大きい整数とすると、総帯域幅が２Ｎ×（２ＭＨｚ）である一実施形態において、ブロック６０４において複製モードデータユニットを生成する段階は、サイズが３２×（Ｎ＋１）のＩＦＦＴを利用する段階を含む。一実施形態において、ブロック６０４において複製モードデータユニットを生成する段階は、複製モードデータユニット信号のＰＡＰＲを低減させるべく、各複製に、異なる位相回転乗数を乗算する段階を含む。
【００６８】
ある実施形態において、単一コンポーネントチャネルに対応する非複製モードデータユニットは、プリアンブルおよびデータ部分の両方を含み、ブロック６０４において生成された複製モードデータユニットも、ゆえに、（複製された）プリアンブルおよびデータ部分を含む（例えば、ある実施形態においては、図７Ａまたは図７Ｂに示すように）。代替実施形態において、ブロック６０４において生成された複製モードデータユニットは、単一コンポーネントチャネルに対応する非複製モードデータユニットのデータ部分を複製し、プリアンブル（またはプリアンブル全体）は複製しない。一実施形態において、例えば、ブロック６０４において生成された複製モードデータユニットは、単一コンポーネントチャネルに対応する非複製モードデータユニットのデータ部分、ＳＴＦおよびＳＩＧフィールドを複製し、ＬＴＦは複製しない。ＬＴＦは代わりに、隣接するコンポーネントチャネルの１セットに対応する非複製モードデータユニットのＬＴＦと同じトーンマップを有する。
【００６９】
単一コンポーネントチャネルに対応する非複製モードデータユニットがＳＩＧフィールドを有するプリアンブルを含むいくつかの実施形態において、ＳＩＧフィールドは受信デバイスに帯域幅を示す帯域幅フィールドを含む。そのような一実施形態において、ブロック６０４において複製モードデータユニットを生成する段階は、単一コンポーネントチャネルの帯域幅（例えば、２ＭＨｚ）と等しい帯域幅を示すべく、ＳＩＧフィールドの各複製に帯域幅フィールドを設定する段階を含む。代替実施形態において、各複製における帯域幅フィールドは、隣接するコンポーネントチャネルの１セットの総帯域幅（例えば、４ＭＨｚまたはそれより大きい）、すなわちブロック６０４において生成される複製モードデータユニットの完全な帯域幅、を示すべく設定される。この代替実施形態においては、受信機は帯域幅フィールドに基づく複製モードの検出ができないこともある（ゆえに、例えばＳＩＧフィールドのＭＲＣ合成を実行できないこともある）。ゆえに、そのような一実施形態においては、ＳＩＧフィールド内の異なるフィールドが受信機に複製モードを示す。さまざまな実施形態において、例えば、ＳＩＧフィールド内のＭＣＳフィールド、符号化フィールド、専用の「複製フィールド」、または他の適切なフィールドが、ブロック６０４において生成されたデータユニットは複製モードデータユニットであると示す。
【００７０】
一実施形態において、方法６００は、隣接するコンポーネントチャネルの１セットがＯＦＤＭ送信に用いられると決定されるブロック６０４の前（および／またはブロック６０２の前）に、追加のブロック（図９には図示せず）を含む。方法６００が局２５―１内に実装される一実施形態において、例えば、局２５―１のネットワークインタフェース２７は、隣接するコンポーネントチャネルの１セットが、ＡＰ１４から受信する、その隣接するコンポーネントチャネルの１セットを特定する情報に基づき使用されると決定する（例えば、隣接するコンポーネントチャネルがＢＳＳチャネルと同じ広がりを持つある実施形態においては、ＢＳＳチャネルのインジケータを受信することによって）。別の実施形態においては、方法６００はＡＰ１４内に実装され、ＡＰ１４のネットワークインタフェース１６は、既知の媒体アクセス技術を用いて隣接するコンポーネントチャネルの1セットを直接決定する。他の実施形態および／またはシナリオにおいて、使用される隣接するコンポーネントチャネルの１セットは、先だって設定されたフラグまたは他のインジケータの値をチェックすることによって決定される。
【００７１】
さらに、一実施形態においては、方法６００は、ブロック６０４において生成された複製モードデータユニットを、方法６００を実装する通信デバイス以外の１または複数の通信デバイスへ送信する、または送信させる、追加のブロック（図９には図示せず）を含む。この実施形態において、単一コンポーネントチャネルに対応する非複製モードデータユニットの各複製が、隣接するコンポーネントチャネルの１セットの異なるコンポーネントチャネルを介して送信されるように、複製モードデータユニットを送信する、または送信させる。
【００７２】
いくつかのシナリオにおいて、方法６００（または方法６００のステップ６０４のみ）は、複数回イタレーションを繰り返し、複数の複製モードデータユニットを生成する。さらに、いくつかの実施形態およびシナリオにおいては、方法６００と同様な方法が実行されて異なる帯域幅を有する１または複数の複製モードデータユニットを追加で生成する。例えば、方法６００が、２つの２ＭＨｚのデータユニットの複製を含む４ＭＨｚの複製モードデータユニットを生成する一実施形態において、ブロック６０２および６０４と同様なステップを追加して、第2の回を実行して4つの２ＭＨｚのデータユニットの複製を含む８ＭＨｚの複製モードデータユニットを生成してもよく、第3の回を実行して８つの２ＭＨｚのデータユニットの複製を含む１６ＭＨｚの複製モードデータユニットを生成してもよい。
【００７３】
いくつかの実施形態において、長距離通信プロトコルは、ＢＳＳチャネルに対応する非複製モードデータユニットおよび複製モードデータユニット（例えば、ある実施形態においては、２ＭＨｚ、４ＭＨｚ、８ＭＨｚまたは１６ＭＨｚ）のみならず、いかなるＢＳＳチャネルよりも狭い帯域幅（例えば、１ＭＨｚの帯域幅）で送信され、より低いデータレートを有する「低帯域幅モード」データユニットをも定義する。「通常モード」（すなわち、低帯域幅モードには対応しない）の２ＭＨｚまたはそれより大きなデータユニットが、６４ポイントまたはそれより大きいＩＦＦＴを用いて生成される一実施形態においては、例えば、低帯域幅モードの１ＭＨｚのデータユニットは３２ポイントのＩＦＦＴを用いて生成される。低帯域幅モードのデータユニットのデータレートがより低ければ、ある実施形態においては、低帯域幅モードはさらに通信範囲を拡張でき、一般的に受信感度を向上させる。さまざまな実施形態において、低帯域幅モードは制御モード（例えば、信号ビーコンまたはアソシエーション手続き（ａｓｓｏｃｉａｔｉｏｎ  ｐｒｏｃｅｄｕｒｅ）、送信ビームフォーミングのトレーニングオペレーションなどのための）としてのみに、拡張された範囲のデータ通信のためのみに、またはその両方に用いられる。さまざまな実施形態による、低帯域幅モードのデータユニットのフォーマットの例、およびそのようなデータユニットの生成が、米国特許出願第１３／３６６，０６４号、「Ｃｏｎｔｒｏｌ  Ｍｏｄｅ  ＰＨＹ  ｆｏｒ  ＷＬＡＮ」、および米国特許出願第１３／４９４，５０５号、「Ｌｏｗ  Ｂａｎｄｗｉｄｔｈ  ＰＨＹ  ｆｏｒ  ＷＬＡＮ」に記載されており、その開示を本明細書中参照としてここに組み込む。
【００７４】
さまざまな実施形態および／またはシナリオにおいて、低帯域幅モードのデータユニットは、単独（例えば、２ＭＨｚまたはそれそり大きなチャネル帯域幅における１ＭＨｚの送信）で、または複製（２ＭＨｚまたはそれより大きなチャネル帯域幅における１ＭＨｚの送信の、周波数領域における2以上の複製またはレプリカ）で、のどちらかで、長距離通信プロトコルで定義されるチャネル内で送信される。より広いＢＳＳチャネル帯域幅における低帯域幅モードのデータユニットの複製を使用する例示的な実施形態が、米国特許出願第１３／５８６，６７８号、「Ｌｏｎｇ  Ｒａｎｇｅ  ＷＬＡＮ  Ｄａｔａ  Ｕｎｉｔ  Ｆｏｒｍａｔ」、および米国特許出願第１３／７６８，８７６号、「Ｌｏｗ  Ｂａｎｄｗｉｄｔｈ  ＰＨＹ  Ｔｒａｎｓｍｉｓｓｉｏｎ  ｉｎ  ａ  Ｗｉｄｅｒ  Ｂａｎｄｗｉｄｔｈ」に記載されており、その開示を本明細書中参照としてここに組み込む。さらに、いくつかの実施形態において、長距離通信プロトコルは、例えばさらに通信範囲を拡張すべく、低次変調（例えば、ＢＰＳＫ）および低レート符号化（例えば、レート１／２の符号化）が時間領域の反復と共に用いられる、低帯域幅モードのデータユニットに対する特別なＭＣＳを定義する。低帯域幅モードのデータユニットに時間領域の反復を使用する例示的な実施形態は、米国特許出願第１３／４９４，５０５号、「Ｌｏｗ  Ｂａｎｄｗｉｄｔｈ  ＰＨＹ  ｆｏｒ  ＷＬＡＮ」に記載されている。
【００７５】
長距離通信プロトコルが、通常モードのデータユニットおよび低帯域幅モードのデータユニットの両方を定義するいくつかの実施形態において、長距離通信プロトコルは図７Ａの例示的な長距離データユニット５００、または図７Ｂの例示的な長距離データユニット５２０などの通常モードのデータユニットの複製を許容するのみである。他の実施形態においては、長距離通信プロトコルは更に、低帯域幅モードのデータユニットの複製を許容する。１ＭＨｚの低帯域幅モードデータユニットの複製が許容される一実施形態において、１ＭＨｚの低帯域幅モードデータユニットを複製することで形成される２ＭＨｚまたはそれよりも広い複製モードの信号（例えば、一実施形態においては、２ＭＨｚ、４ＭＨｚ、８ＭＨｚまたは１６ＭＨｚ）は、３つの下側エッジガードトーンおよび２つの上側エッジガードトーンのみを有することになり、比較的厳しいフィルタ設計要件を持つことになる。
【００７６】
いくつかの実施形態において、長距離通信プロトコルは、１ＭＨｚの低帯域幅モードデータユニットの、ＢＳＳチャネルの1つの１ＭＨｚのサブバンドにおける送信しか許容しない。一実施形態においては、例えば、１ＭＨｚの低帯域幅モードデータユニットは、２ＭＨｚのＢＳＳチャネルの下側の１ＭＨｚのサブバンドにおいてのみ送信可能である。別の例示的な実施形態において、１ＭＨｚの低帯域幅モードデータユニットは、２ＭＨｚのプライマリチャネルがＢＳＳチャネルの最も下側の２ＭＨｚのサブバンドに位置する限り、４ＭＨｚまたはそれより大きな帯域幅のＢＳＳチャネル内の２ＭＨｚのプライマリチャネルの下側の１ＭＨｚのサブバンドにおいてのみ送信可能である。この実施形態においては、しかしながら、１ＭＨｚの低帯域幅モードデータユニットは、２ＭＨｚのプライマリチャネルがＢＳＳチャネルの最も下側の２ＭＨｚのサブバンドに位置する場合は、１ＭＨｚの低帯域幅モードデータユニットがＢＳＳチャネルのエッジに位置することを回避すべく、２ＭＨｚのプライマリチャネルの上側半分において送信される。
【００７７】
他の実施形態において、１ＭＨｚの低帯域幅モードデータユニットの周波数複製は１ＭＨｚのＯＢＳＳに対する帯域幅保護を与える。一実施形態において、例えば、１ＭＨｚの低帯域幅モードデータユニットは、１または複数のトーンをスケールダウンまたはゼロにすることで、真の、より広い帯域幅の信号のスペクトルマスクに合わせて、より広い帯域幅の信号（例えば、２ＭＨｚ、４ＭＨｚ、８ＭＨｚ、または１６ＭＨｚ）の１ＭＨｚのサブバンドの各々に複製される。１ＭＨｚの低帯域幅モードデータユニットの各々が３つの下側エッジガードトーンおよび２つの上側エッジガードトーンを有する一実施形態において、例えば、１ＭＨｚの低帯域幅モードデータユニットを複製して形成された２ＭＨｚのデータユニットは、上側の１ＭＨｚのサブバンドにある１ＭＨｚの低帯域幅モードデータユニットの最も上側のトーンをゼロにして、またはスケールダウンして真の２ＭＨｚの信号のスペクトルマスクに合わせることが可能である。ある実施形態において、１ＭＨｚの低帯域幅モードデータユニットが複製される場合、位相回転は１ＭＨｚのサブバンドの各々に適用される（例えば、１ＭＨｚの低帯域幅モードデータユニットを複製して形成される２ＭＨｚの信号に対しては［１，ｊ］の位相回転）。これらの実施形態においては、ＳＴＦおよびＬＴＦは１ＭＨｚのサブバンドの各々に複製されるので、１ＭＨｚのサブバンドの各々は、受信機にはスタンドアロンの１ＭＨｚの低帯域幅モードデータユニットのように見える。ゆえに、デバイスフィルタ帯域幅をわずか１ＭＨｚに設定するデバイスも、デバイスフィルタ帯域幅を２ＭＨｚまたはそれより大きく設定するデバイスが受信できるようなデータユニットを変わらず受信可能である。そのような両デバイスは、データユニットを単一の１ＭＨｚのサブバンドにおいてスタンドアロンの１ＭＨｚのデータユニットとして受信可能なので、両デバイスは追加の処理を（通常の１ＭＨｚのデータユニットを受信する際にすでに必要とするもの以上に）必要としない。
【００７８】
１ＭＨｚの低帯域幅モードデータユニットまたはその複製をＢＳＳチャネル内に配置する他の実施形態（１または複数のトーンをゼロにする、またはスケールダウンする実施形態を含む）が、米国特許出願第１３／７６８，８７６号に記載されている。
【００７９】
上述したさまざまなブロック、動作および技術のうちの少なくともいくつかは、ハードウェア、ファームウェア命令を実行する１または複数のプロセッサ、ソフトウェア命令を実行する１または複数のプロセッサ、またはそれらの任意の組み合わせを使用して実装される。ソフトウェア命令またはファームウェア命令を実行する１または複数のプロセッサを使用して実装される場合、ソフトウェア命令またはファームウェア命令は、ＲＡＭまたはＲＯＭまたはフラッシュメモリ、プロセッサ、ハードディスクドライブ、光ディスクドライブ、テープドライブ、などの中の磁気ディスク、光ディスク、または他の格納媒体などの任意のコンピュータ可読メモリに格納されてもよい。同じく、ソフトウェア命令またはファームウェア命令は、例えば、コンピュータ可読ディスクまたは他の可搬コンピュータストレージ機構上または通信媒体を介して、を含む任意の既知のまたは所望の配信方法でユーザまたはシステムに配信され得る。通信媒体は、搬送波または他の搬送機構などの変調データ信号に、コンピュータ可読命令、データ構造体、プログラムモジュールまたは他のデータを取り入れる。「変調データ信号」という用語は、その特性のセットのうちの１または複数を有する、または信号内に情報を符号化する方法で変換された信号を意味する。例として、限定はしないが、通信媒体は、有線ネットワークまたは直接配線された接続などの有線媒体、および、音波、無線周波、赤外線および他の無線媒体などの無線媒体を含む。ゆえに、ソフトウェア命令またはファームウェア命令は、電話回線、ＤＳＬ回線、ケーブルテレビ回線、光ファイバ回線、無線通信チャネル、インターネット、などの通信チャネルを介してユーザまたはシステムに配信されてもよい（可搬の記憶媒体を介して、そのようなソフトウェアを提供するのと同じ、または交換可能とみなされる）。ソフトウェア命令またはファームウェア命令は、１または複数のプロセッサで実行されると、１または複数のプロセッサにさまざまな動作を実行させるマシン可読命令を含み得る。
【００８０】
ハードウェアに実装される場合は、ハードウェアは、ディスクリート部品、集積回路、特定用途向け集積回路（ＡＳＩＣ）の１または複数を備え得る。
【００８１】
発明の例示としてのみであって、限定することを意図しない具体的な例を参照して本発明を説明してきたが、特許請求の範囲を逸脱することなく開示された実施形態に変更、追加および／または削除が成され得る。
【図１】
2015523783.tif 000004
【図２】
2015523783.tif 000005
【図３Ａ】
2015523783.tif 000006
【図３Ｂ】
2015523783.tif 000007
【図３Ｃ】
2015523783.tif 000008
【図３Ｄ】
2015523783.tif 000009
【図４Ａ】
2015523783.tif 000010
【図４Ｂ】
2015523783.tif 000011
【図４Ｃ】
2015523783.tif 000012
【図５Ａ】
2015523783.tif 000013
【図５Ｂ】
2015523783.tif 000014
【図６Ａ】
2015523783.tif 000015
【図６Ｂ】
2015523783.tif 000016
【図７Ａ】
2015523783.tif 000017
【図７Ｂ】
2015523783.tif 000018
【図８】
2015523783.tif 000019
【図９】
2015523783.tif 000020
【国際調査報告】
2015523783.tif 000021
2015523783.tif 000022
2015523783.tif 000023